(57)【要約】  ナットプレートアセンブリは、プレート部材、シェル部材、ナット、及びバイアス部材を含む。シェル部材は、プレート部材に連結された第１端部、及び第１端部と反対側の第２端部を含む。ナットは、シェル部材の内側に配置され、シェル部材の第１端部に近い第１位置と、シェル部材の第２端部に近い第２位置との間を移動できる。また、バイアス部材は、シェル部材の内側に配置され、第１位置と第２位置のいずれか一方にナットを付勢するように構成されている。【選択図】  図１
2020509312.tif 000002
【特許請求の範囲】
【請求項１】
保持タブを有するプレート部材と、
前記保持タブにより前記プレート部材に連結された第１端部、及び前記第１端部と反対側の第２端部を有するシェル部材と、
前記シェル部材の内側に配置され、前記シェル部材の前記第１端部に近い第１位置と、前記シェル部材の前記第２端部に近い第２位置との間を移動できるナットと、
前記シェル部材の内側に配置されるバイアス部材とを備えるナットプレートアセンブリであって、
前記バイアス部材は、前記第１位置と前記第２位置のいずれか一方に前記ナットを付勢するように構成されている、ことを特徴とするナットプレートアセンブリ。
【請求項２】
前記保持タブは、前記保持タブの端部に形成されている半円状の切り欠きを備えることを特徴とする請求項１に記載のナットプレートアセンブリ。
【請求項３】
前記シェル部材は実質的に円筒形状であり、
前記ナットは、前記第１位置と前記第２位置の間で前記シェル部材に対して軸方向に移動するように構成されていることを特徴とする請求項１に記載のナットプレートアセンブリ。
【請求項４】
前記シェル部材の前記第１端部はフランジを備えることを特徴とする請求項１に記載のナットプレートアセンブリ。
【請求項５】
前記保持タブは、前記プレート部材に対して前記シェル部材を軸方向に保持するため、前記フランジを覆うように曲がっていることを特徴とする請求項４に記載のナットプレートアセンブリ。
【請求項６】
前記シェル部材の前記第２端部は、径方向内側に向けて伸びるテーパ部を備えることを特徴とする請求項１に記載のナットプレートアセンブリ。
【請求項７】
前記テーパ部はスウェージング加工により形成されていることを特徴とする請求項６に記載のナットプレートアセンブリ。
【請求項８】
前記ナットは、前記ナットを貫通するように形成されている穴を備えており、
前記穴は雌ねじ部を備えることを特徴とする請求項１に記載のナットプレートアセンブリ。
【請求項９】
前記シェル部材は、前記第１端部から前記第２端部の間で軸方向に伸びるスロットを備えることを特徴とする請求項１に記載のナットプレートアセンブリ。
【請求項１０】
前記ナットプレートアセンブリは、前記ナットに連結された回転防止ピンを備えており、
前記回転防止ピンは前記スロットを通して伸びることを特徴とする請求項９に記載のナットプレートアセンブリ。
【請求項１１】
前記ナットは、前記バイアス部材の一部を受容するように構成されている肩部を備えることを特徴とする請求項１に記載のナットプレートアセンブリ。
【請求項１２】
貫通するように形成されている開口を有するプレート部材と、
円筒壁、前記プレート部材に連結された第１端部、及び前記第１端部と反対側の第２端部を有するシェル部材と、
前記シェル部材の内側に配置されるバイアス部材と、
前記バイアス部材の一部を受容するように構成されている肩部を有するナットとを備えるナットプレートアセンブリであって、
前記ナットは、前記シェル部材の内側に配置され、前記シェル部材の前記第１端部に近い第１位置と、前記シェル部材の前記第２端部に近い第２位置との間を移動可能であり、
前記バイアス部材は、前記第１位置と前記第２位置のいずれか一方に前記ナットを付勢するように構成されている、ことを特徴とするナットプレートアセンブリ。
【請求項１３】
前記円筒壁は、前記円筒壁を貫通するように形成され、前記第１端部から前記第２端部の間で軸方向に伸びるスロットを備えることを特徴とする請求項１２に記載のナットプレートアセンブリ。
【請求項１４】
前記ナットプレートアセンブリは、前記ナットに連結された回転防止ピンを備えており、
前記回転防止ピンは前記スロットを通して伸びることを特徴とする請求項１３に記載のナットプレートアセンブリ。
【請求項１５】
前記肩部は前記プレート部材に向けて軸方向に伸びており、
前記バイアス部材は、前記シェル部材の前記第２端部に前記ナットを付勢するように、前記プレート部材と前記ナットの間に連結されていることを特徴とする請求項１２に記載のナットプレートアセンブリ。
【請求項１６】
前記肩部は前記プレート部材から軸方向に伸びており、
前記バイアス部材は、前記プレート部材に前記ナットを付勢するように、前記シェル部材の前記第２端部と前記ナットの間に連結されていることを特徴とする請求項１２に記載のナットプレートアセンブリ。
【請求項１７】
前記プレート部材は、前記シェル部材に係合する複数の保持タブを備えることを特徴とする請求項１２に記載のナットプレートアセンブリ。
【請求項１８】
前記シェル部材は前記シェル部材の前記第１端部にフランジを備えることを特徴とする請求項１２に記載のナットプレートアセンブリ。
【請求項１９】
前記プレート部材は、前記プレート部材に対して前記シェル部材を軸方向に保持するため、前記フランジを覆うように曲がっている複数の保持タブを備えることを特徴とする請求項１８に記載のナットプレートアセンブリ。
【請求項２０】
前記ナットプレートアセンブリは、前記プレート部材と前記ナットを通過する締結部を備えており、
前記締結部は前記ナットにねじ締めできることを特徴とする請求項１２に記載のナットプレートアセンブリ。
【請求項２１】
取り付け構造に取り付けるように形成されているナットプレートアセンブリを備える締結部アセンブリであって、
前記ナットプレートアセンブリは、
プレート部材と、
前記プレート部材に連結された第１端部、及び前記第１端部と反対側の第２端部を有するシェル部材と、
前記シェル部材の内側に配置され、前記シェル部材の前記第１端部に近い第１位置と、前記シェル部材の前記第２端部に近い第２位置との間を移動できるナットと、
前記シェル部材の内側に配置され、前記第１位置と前記第２位置のいずれか一方に前記ナットを付勢するように構成されている前記バイアス部材とを備えており、
前記締結部アセンブリは、パネル部材に形成されている開口に取り付けるように構成されている締結部を備えており、
前記締結部は、前記締結部を前記開口に保持するためのロック機構を備えており、前記取り付け構造に前記パネル部材を連結するため、前記ナットにねじ締めできる、ことを特徴とする締結部アセンブリ。
【請求項２２】
前記締結部は溝を備えており、
前記ロック機構は、前記溝の内側に配置されるロックリングを備えることを特徴とする請求項２１に記載の締結部アセンブリ。
【請求項２３】
前記ロック機構は、保持リング、Ｅ型クリップ、スプリングプランジャ、及びロックリングのいずれかを備えることを特徴とする請求項２１に記載の締結部アセンブリ。
【請求項２４】
前記締結部は、六角頭、スプラインヘッド、平頭、ソケット付きヘッド、及びなべ頭の内、いずれかを備えることを特徴とする請求項２１に記載の締結部アセンブリ。
【請求項２５】
前記締結部は、前記パネル部材に関する回転に対して前記締結部をロックするように構成されている少なくとも１つの構成要素を備えるロック締結部であることを特徴とする請求項２１に記載の締結部アセンブリ。
【請求項２６】
プレート部材と、
第１端部、及び前記第１端部と反対側の第２端部を有するシェル部材と、
前記プレート部材に前記シェル部材を連結するように構成され、第１位置と第２位置の間に位置できて、前記保持部材が前記第１位置にあるとき、前記プレート部材に係合するように構成されている保持部材と、
前記シェル部材の内側に配置され、前記シェル部材の前記第１端部に近い第１位置と、前記シェル部材の前記第２端部に近い第２位置との間を移動できるナットと、
前記シェル部材の内側に配置され、前記第１位置と前記第２位置のいずれか一方に前記ナットを付勢するように構成されている前記バイアス部材とを備える、ことを特徴とするナットプレートアセンブリ。
【請求項２７】
前記プレート部材は、前記保持部材が前記第１位置にあるとき、前記保持部材に係合するように構成されている保持タブを備えることを特徴とする請求項２６に記載のナットプレートアセンブリ。
【請求項２８】
前記保持部材は、前記シェル部材周りに少なくとも部分的に伸びるように構成されているクリップを備えることを特徴とする請求項２６に記載のナットプレートアセンブリ。
【請求項２９】
前記クリップは、前記シェル部材と前記プレート部材に取り外しできるように連結されていることを特徴とする請求項２８に記載のナットプレートアセンブリ。
【請求項３０】
前記シェル部材の前記第１端部は、前記シェル部材が前記保持部材により前記プレート部材に連結されているとき、前記保持部材と前記プレート部材の間で伸びるように構成されているフランジを備えることを特徴とする請求項２６に記載のナットプレートアセンブリ。
【請求項３１】
貫通するように形成されている開口を備えるプレート部材と、
前記プレート部材に連結された第１端部、及び前記第１端部と反対側の第２端部を有するシェル部材と、
前記シェル部材の内側に配置されるバイアス部材と、
前記バイアス部材の一部を受容するように構成されている肩部を有するナットとを備えるナットプレートアセンブリであって、
前記ナットは、前記シェル部材の内側に配置され、前記シェル部材の前記第１端部に近い第１位置と、前記シェル部材の前記第２端部に近い第２位置との間を移動可能であり、
前記バイアス部材は、前記第１位置と前記第２位置のいずれか一方に前記ナットを付勢するように構成されており、
前記ナットプレートアセンブリは、
前記シェル部材の内側に前記ナットを保持するように構成されている保持部材を備える、ことを特徴とするナットプレートアセンブリ。
【請求項３２】
前記シェル部材は、
前記第１端部に第１開口部を形成し、
前記第２端部に第２開口部を形成し、
前記第１開口部と前記第２開口部以外の開口部を実質的に有していないことを特徴とする請求項３１に記載のナットプレートアセンブリ。
【請求項３３】
前記シェル部材は、前記第１端部から前記第２端部に向かう軸周りに伸びる壁部を備えており、
前記壁部は、前記ナットに係合し、前記ナットの前記軸周りの回転を防止するように構成されていることを特徴とする請求項３２に記載のナットプレートアセンブリ。
【請求項３４】
前記ナットは、前記壁部に係合するように構成されているフランジを含むことを特徴とする請求項３３に記載のナットプレートアセンブリ。
【請求項３５】
前記シェル部材は、前記フランジの断面形状に対応する断面形状を有することを特徴とする請求項３４に記載のナットプレートアセンブリ。
【請求項３６】
前記フランジは、前記フランジの周りで伸びる複数の平坦な側面を含んでおり、
前記複数の平坦な側面は前記壁部に係合するように構成されていることを特徴とする請求項３４に記載のナットプレートアセンブリ。
【請求項３７】
前記保持部材は、前記シェル部材と前記ナットに係合するように構成されているクリップを備えることを特徴とする請求項３１に記載のナットプレートアセンブリ。
【請求項３８】
前記シェル部材は、前記クリップの一部を受容するように構成されている少なくとも１つの溝を形成することを特徴とする請求項３７に記載のナットプレートアセンブリ。
【請求項３９】
前記クリップは、
前記クリップが前記開口を通して取り付けられるときの第１位置と、前記クリップが前記開口よりも大きいときの第２位置の間に位置できて、
前記クリップが前記シェル部材の内側の前記第２位置に配置されているとき、前記シェル部材と前記ナットに係合することを特徴とする請求項３８に記載のナットプレートアセンブリ。
【請求項４０】
前記プレート部材と前記シェル部材は単一の部品として一体化して形成されていることを特徴とする請求項３１に記載のナットプレートアセンブリ。
【請求項４１】
前記ナットプレートアセンブリは、前記プレート部材と前記ナットを通過する締結部を備えており、
前記締結部は前記ナットにねじ締めできることを特徴とする請求項３１に記載のナットプレートアセンブリ。
【請求項４２】
前記ナットは本体とフランジを備えており、
前記フランジは、前記本体の周りに伸びて、前記シェル部材に係合するように構成されていることを特徴とする請求項３１に記載のナットプレートアセンブリ。
【請求項４３】
前記フランジの形状は、三角形、長方形、台形、五角形、六角形、七角形、八角形、九角形、十角形、十二角形、及び星形の少なくともいずれかであることを特徴とする請求項４２に記載のナットプレートアセンブリ。
【請求項４４】
取り付け構造に取り付けるように形成されているナットプレートアセンブリを備える締結部アセンブリであって、
前記ナットプレートアセンブリは、
貫通するように形成されている開口を備えるプレート部材と、
前記プレート部材に連結された第１端部、及び前記第１端部と反対側の第２端部を有するシェル部材と、
前記シェル部材の内側に配置されるバイアス部材と、
前記バイアス部材の一部を受容するように構成されている肩部を有するナットとを備えるナットプレートアセンブリであって、
前記ナットは、前記シェル部材の内側に配置され、前記シェル部材の前記第１端部に近い第１位置と、前記シェル部材の前記第２端部に近い第２位置との間を移動可能であり、
前記バイアス部材は、前記第１位置と前記第２位置のいずれか一方に前記ナットを付勢するように構成されており、
前記締結部アセンブリは、
パネル部材に形成されている開口に取り付けるように構成されている締結部を備えており、
前記締結部は、前記取り付け構造に前記パネル部材を連結するように前記ナットにねじ締めできることを特徴とする締結部アセンブリ。
【請求項４５】
前記締結部は、前記締結部を前記開口に保持するためのロック機構を備えることを特徴とする請求項４４に記載の締結部アセンブリ。
【請求項４６】
前記締結部は、六角頭、スプラインヘッド、平頭、ソケット付きヘッド、及びなべ頭の内、いずれかを備えることを特徴とする請求項４４に記載の締結部アセンブリ。
【請求項４７】
前記締結部は、前記パネル部材に関する回転に対して前記締結部をロックするように構成されている少なくとも１つの構成要素を備えるロック締結部であることを特徴とする請求項４４に記載の締結部アセンブリ。
【請求項４８】
前記プレート部材と前記シェル部材は単一の部品として一体化して形成されていることを特徴とする請求項４４に記載の締結部アセンブリ。
【請求項４９】
前記シェル部材は、
前記第１端部に第１開口部を形成し、
前記第２端部に第２開口部を形成し、
前記第１開口部と前記第２開口部以外の開口部を実質的に有していないことを特徴とする請求項４４に記載の締結部アセンブリ。
【請求項５０】
ナットプレートアセンブリを組み立てる方法であって、
前記方法は、
シェル部材の内側にバイアス部材を配置することを備えており、
前記シェル部材は、プレート部材に連結された第１端部、及び前記第１端部と反対側の第２端部を有しており、
前記プレート部材は、前記プレート部材を貫通するように形成されている開口を含んでおり、
前記方法は、
前記シェル部材の内側にナットを配置することを備えており、
前記ナットは、前記バイアス部材の一部を受容するように構成されている肩部を含み、前記シェル部材の前記第１端部に近い第１位置と、前記シェル部材の前記第２端部に近い第２位置との間を移動可能であり、
前記バイアス部材は、前記第１位置と前記第２位置のいずれか一方に前記ナットを付勢するように構成されており、
前記シェル部材の内側で前記ナットを保持するため、前記シェル部材と前記プレート部材の少なくともいずれかに保持部材を連結することを備える方法。
【請求項５１】
前記方法は、前記シェル部材の内側に前記保持部材を配置することを備えており、
前記保持部材は、前記保持部材が前記開口を通して取り付けられるときの第１位置と、前記保持部材が前記シェル部材から前記ナットの取り外しを防止するときの第２位置との間に位置し得ることを特徴とする請求項５０に記載の方法。
【発明の詳細な説明】
【関連出願の相互参照】
【０００１】
本願は、２０１８年１月１９日に提出された米国特許出願  １５／８７５，９１３号の優先権と利益を主張する。米国特許出願  １５／８７５，９１３号は、２０１７年８月１６日に提出された米国特許出願  １５／６７８，９２７号の一部継続出願である。米国特許出願  １５／６７８，９２７号は、２０１７年３月２日に提出された米国仮特許出願  ６２／４６５，９９７号の優先権を主張する。これらの出願は、すべて、本明細書の一部を構成するものとして援用される。
【技術分野】
【０００２】
本発明の分野は、一般的に、ナットプレート、特にばね荷重ナットを含むナットプレートに関する。
【背景技術】
【０００３】
少なくとも一部の既知のフローティングナットプレートは、開口部を有するベースプレート又はボトムプレートを含み、リテーナ又はケージ構成要素により該ベースに保持されているナット又は同様の締結要素を支持する。そのようなナットプレートは、締結部がナットプレートにねじ締めされて、しっかり固定されているとき、保持構成要素、例えばパネルを助ける一方、構成要素間の一部の動きを可能にする。そのような既知のナットプレートにおいて、ナットは、上記構成要素の開口部を通り、ナットにねじ締めされるボルト、ねじ、又は他のねじ構成要素のような締結部を受容する。構成要素の開口部は、締結された構成要素間の一部の動きに対応するため、ナットと締結部を横方向に動かすことができるように形成され得る。
【０００４】
少なくとも一部の既知のフローティングナットプレートは、航空宇宙産業において用いられ得る。航空宇宙に応用するとき、パネルアセンブリの締結部の種類と数が重要になり得る。特定のパネルアセンブリに対するパネル締結部の一部は、異なる長さを有してもよく、さもなければ、他のパネル締結部に似ていてもよい。パネルアセンブリが取り外されるとき、使用者は、一般的に、締結部を間違って配置することを防ぐため、すべてのパネル締結部を別々の場所に配置し得る。一方、使用者は、パネルアセンブリを交換するとき、特定のパネル締結部の場所に対して、誤った長さの締結部を不注意で用い得る。これにより、不適切に取り付けられたパネルアセンブリをもたらし得る。
【発明の概要】
【０００５】
ある実施形態において、ナットプレートアセンブリが提供される。このナットプレートアセンブリは、保持タブを含むプレート部材を備える。また、ナットプレートアセンブリは、保持タブによりプレート部材に連結された第１端部、及び第１端部と反対側の第２端部を有するシェル部材を備える。さらに、ナットプレートアセンブリは、シェル部材の内側に配置されるナットを備える。このナットは、シェル部材の第１端部に近い第１位置と、シェル部材の第２端部に近い第２位置との間を移動できる。また、ナットプレートアセンブリは、シェル部材の内側に配置されるバイアス部材を備える。このバイアス部材は、第１位置と第２位置のいずれか一方にナットを付勢するように構成されている。
【０００６】
別の実施形態において、ナットプレートアセンブリが提供される。このナットプレートアセンブリは、貫通するように形成されている開口を含むプレート部材と、円筒壁、プレート部材に連結された第１端部、及び前記第１端部と反対側の第２端部を有するシェル部材とを備える。また、ナットプレートアセンブリは、シェル部材の内側に配置されるバイアス部材を備える。さらに、ナットプレートアセンブリは、バイアス部材の一部を受容するように構成されている肩部を含むナットを備える。このナットは、シェル部材の内側に配置され、シェル部材の第１端部に近い第１位置と、シェル部材の第２端部に近い第２位置との間を移動できる。バイアス部材は、第１位置と第２位置のいずれか一方にナットを付勢するように構成されている。
【０００７】
別の実施形態において、締結部アセンブリが提供される。この締結部アセンブリは、取り付け構造に取り付けるように形成されているナットプレートアセンブリを備える。このナットプレートアセンブリは、プレート部材と、プレート部材に連結された第１端部、及び第１端部と反対側の第２端部を有するシェル部材と、ナットと、バイアス部材とを備える。このナットは、シェル部材の内側に配置され、シェル部材の第１端部に近い第１位置と、シェル部材の第２端部に近い第２位置との間を移動できる。バイアス部材は、シェル部材の内側に配置され、第１位置と第２位置のいずれか一方にナットを付勢するように構成されている。また、締結部アセンブリは、パネル部材に形成されている開口に取り付けるように構成されている締結部を備える。この締結部は、締結部を開口に保持するためのロック機構を備えており、取り付け構造にパネル部材を連結するため、ナットにねじ締めできる。
【０００８】
別の実施形態において、ナットプレートアセンブリが提供される。このナットプレートアセンブリは、プレート部材と、第１端部、及び第１端部と反対側の第２端部を有するシェル部材とを備える。また、ナットプレートアセンブリは、プレート部材にシェル部材を連結するように構成されている保持部材を備える。この保持部材は、第１位置と第２位置の間に位置できて、保持部材が第１位置にあるとき、プレート部材に係合するように構成されている。また、ナットプレートアセンブリは、シェル部材の内側に配置されるナットを備える。このナットは、シェル部材の第１端部に近い第１位置と、シェル部材の第２端部に近い第２位置との間を移動できる。また、ナットプレートアセンブリは、シェル部材の内側に配置されるバイアス部材を備える。このバイアス部材は、第１位置と第２位置のいずれか一方にナットを付勢するように構成されている。
【０００９】
別の実施形態において、ナットプレートアセンブリが提供される。このナットプレートアセンブリは、貫通するように形成されている開口を有するプレート部材を備える。また、ナットプレートアセンブリは、プレート部材に連結された第１端部、及び第１端部と反対側の第２端部を有するシェル部材を備える。さらに、ナットプレートアセンブリは、シェル部材の内側に配置されるバイアス部材と、バイアス部材の一部を受容するように構成されている肩部を有するナットとを備える。このナットは、シェル部材の内側に配置され、シェル部材の第１端部に近い第１位置と、シェル部材の第２端部に近い第２位置との間を移動できる。バイアス部材は、第１位置と第２位置のいずれか一方にナットを付勢するように構成されている。また、ナットプレートアセンブリは、シェル部材の内側に前記ナットを保持するように構成されている保持部材を備える。
【００１０】
別の実施形態において、締結部アセンブリが提供される。この締結部アセンブリは、取り付け構造に取り付けるように形成されているナットプレートアセンブリを備える。このナットプレートアセンブリは、貫通するように形成されている開口を有するプレート部材を備える。また、ナットプレートアセンブリは、プレート部材に連結された第１端部、及び第１端部と反対側の第２端部を有するシェル部材を備える。さらに、ナットプレートアセンブリは、シェル部材の内側に配置されるバイアス部材と、バイアス部材の一部を受容するように構成されている肩部を有するナットとを備える。このナットは、シェル部材の内側に配置され、シェル部材の第１端部に近い第１位置と、シェル部材の第２端部に近い第２位置との間を移動できる。バイアス部材は、第１位置と第２位置のいずれか一方にナットを付勢するように構成されている。また、締結部アセンブリは、パネル部材に形成されている口部に取り付けるように構成されている締結部を備える。この締結部は、取り付け構造にパネル部材を連結するようにナットにねじ締めできる。
【００１１】
別の実施形態において、ナットプレートアセンブリを組み立てる方法が提供される。この方法は、シェル部材の内側にバイアス部材を配置することを備える。このシェル部材は、プレート部材に連結された第１端部、及び第１端部と反対側の第２端部を有する。プレート部材は、プレート部材を貫通するように形成されている開口を含む。また、上記方法は、シェル部材の内側にナットを配置することを備える。このナットは、バイアス部材の一部を受容するように構成されている肩部を含み、シェル部材の第１端部に近い第１位置と、シェル部材の第２端部に近い第２位置との間を移動できる。バイアス部材は、第１位置と第２位置のいずれか一方にナットを付勢するように構成されている。また、上記方法は、シェル部材の内側でナットを保持するため、シェル部材とプレート部材の少なくともいずれかに保持部材を連結することを備える。
【図面の簡単な説明】
【００１２】
上述及び上述以外の本発明の特徴と実施形態と利点は、後述の詳細な記載が添付図面を参照して示されると、より理解される。この添付図面を通して、同様の符号は同様の部品を示す。
【００１３】
【図１】図１は、ばね荷重ナットプレートアセンブリの斜視図である。
【００１４】
【図２】図２は、図１に示すナットプレートアセンブリの平面図である。
【００１５】
【図３】図３は、図２に示すナットプレートアセンブリの図２に示す３−３線に沿った断面図である。
【００１６】
【図４】図４は、図１に示すナットプレートアセンブリに用いるためのフローティングナットの斜視図である。
【００１７】
【図５】図５は、図４に示すフローティングナットの別の斜視図である。
【００１８】
【図６】図６は、図４に示すフローティングナットの図４，５に示す６−６線に沿った断面図である。
【００１９】
【図７】図７は、取り付け構造に連結されて、固定締結部を含む、図１に示すナットプレートアセンブリの断面図である。
【００２０】
【図８】図８は、取り付け構造に連結されて、図７に示す固定締結部アセンブリを含む、図１に示すナットプレートアセンブリの別の実施形態の断面図である。
【００２１】
【図９】図９は、別のばね荷重ナットプレートアセンブリの斜視図である。
【００２２】
【図１０】図１０は、図９に示すナットプレートアセンブリの図９に示す１０−１０線に沿った断面図である。
【００２３】
【図１１】図１１は、図９に示すナットプレートアセンブリに用いるためのフローティングナットの斜視図である。
【００２４】
【図１２】図１２は、図１１に示すフローティングナットの別の斜視図である。
【００２５】
【図１３】図１３は、図１１に示すフローティングナットの図１１，１２に示す１３−１３線に沿った断面図である。
【００２６】
【図１４】図１４は、取り付け構造に連結されて、固定締結部を含む、図９に示すナットプレートアセンブリの断面図である。
【００２７】
【図１５】図１５は、別のばね荷重ナットプレートアセンブリの斜視図である。
【００２８】
【図１６】図１６は、図１５に示すナットプレートアセンブリの側面図である。
【００２９】
【図１７】図１７は、図１５に示すナットプレートアセンブリの端面図である。
【００３０】
【図１８】図１８は、図１５〜１７に示すナットプレートアセンブリのプレート部材の斜視図である。
【００３１】
【図１９】図１９は、図１５〜１７に示すナットプレートアセンブリの保持部材の平面図である。
【００３２】
【図２０】図２０は、図１５〜１７に示すナットプレートアセンブリの図１５に示す２０−２０線に沿った断面図である。
【００３３】
【図２１】図２１は、別のばね荷重ナットプレートアセンブリの斜視図である。
【００３４】
【図２２】図２２は、図２１に示すナットプレートアセンブリの側面図である。
【００３５】
【図２３】図２３は、図２１に示すナットプレートアセンブリの端面図である。
【００３６】
【図２４】図２４は、図２１〜２３に示すナットプレートアセンブリのプレート部材の斜視図である。
【００３７】
【図２５】図２５は、図２１〜２３に示すナットプレートアセンブリの保持部材の平面図である。
【００３８】
【図２６】図２６は、図２１〜２３に示すナットプレートアセンブリの図２１に示す２６−２６線に沿った断面図である。
【００３９】
【図２７】図２７は、別のばね荷重ナットプレートアセンブリの斜視図である。
【００４０】
【図２８】図２８は、図２７に示すナットプレートアセンブリの第１端面図である。
【００４１】
【図２９】図２９は、図２７に示すナットプレートアセンブリの第２端面図である。
【００４２】
【図３０】図３０は、図２７に示すナットプレートアセンブリの端面図である。
【００４３】
【図３１】図３１は、図２８に示すナットプレートアセンブリの断面図である。
【００４４】
【図３２】図３２は、図２７〜３１に示すナットプレートアセンブリに用いるためのフローティングナットの斜視図である。
【００４５】
【図３３】図３３は、図３２に示すフローティングナットの端面図である。
【００４６】
【図３４】図３４は、図３２に示すフローティングナットの側面図である。
【００４７】
【図３５】図３５は、図２７〜３１に示すナットプレートアセンブリに用いるためのクリップの端面図である。
【００４８】
【図３６】図３６は、図２７〜３１に示すナットプレートアセンブリに用いるためのプレート部材とシェル部材の斜視図である。
【００４９】
【図３７】図３７は、別のばね荷重ナットプレートアセンブリの斜視図である。
【００５０】
【図３８】図３８は、図３７に示すナットプレートアセンブリの端面図である。
【００５１】
【図３９】図３９は、図３７，３８に示すナットプレートアセンブリに用いるためのクリップの斜視図である。
【００５２】
【図４０】図４０は、別のばね荷重ナットプレートアセンブリの斜視図である。
【００５３】
【図４１】図４１は、図４０に示すナットプレートアセンブリの端面図である。
【００５４】
【図４２】図４２は、図４０，４１に示すナットプレートアセンブリに用いるためのフローティングナットの斜視図である。
【００５５】
【図４３】図４３は、図４２に示すフローティングナットの端面図である。
【００５６】
特に示されない限り、本明細書において提供される図面は、本発明の実施形態の特徴を示すように作られている。これらの特徴は、本発明の１つ以上の実施形態を含む多種多様なシステムに適用できると考えられる。したがって、図面は、本明細書に開示されている実施形態を実施するために必要とされている、当業者により既に知られているすべての従来の特徴を含むように作られていない。
【発明を実施するための形態】
【００５７】
後述の明細書と請求項において、後述の意味を有するように定義される複数の用語について述べる。
【００５８】
これらの用語は、文脈が、複数ではないことを明確に決めない限り、複数であることを含む。
【００５９】
「任意」は、後述の事象又は状況が起こり得る、又は起こらないこと、及びその記述が、事象が起こる場合と事象が起こらない場合を含むことを意味する。
【００６０】
近似を示す言葉は、明細書と請求項を通して用いられるように、関連する基本的な機能に変化をもたらすことなく、許容可能に変化し得る定量的表現を修飾するために適用され得る。したがって、「約」、「および」、及び「実質的」のような用語により修飾される値は、特定の正確な値に限定されない。少なくとも一部の事象において、近似を示す言葉は、値を測定するための機器の精度に対応し得る。明細書と請求項を通して、範囲の限定は、組み合わせられ得る、及び／又は交換され得る。そのような範囲は、文脈又は言葉がその範囲にないことを示さない限り、特定され、その範囲に含まれるすべてのサブ範囲を有する。
【００６１】
本明細書で用いられる、上方、下方、左、右、上、下、高さ、幅、厚みなどのような相対的な記述は、図面を参照して、限定する印象を示さない。また、図示された実施形態は、所定の実施形態の様々な詳細の代表的な特徴をもたらすように理解され得る。したがって、図面の特徴、構成要素、モジュール、要素、及び／又は実施形態は、開示されている締結部アセンブリから実質的に外れることなく、組み合わせられ、相互に接続され、順序付けられ、分離され、交換され、位置決めされ、及び／又は再配置され得る。また、構成要素の形状とサイズは、代表的なものであり、実質的に悪影響を及ぼすことなく、又は開示されている技術を限定することなく、変更され得る。
【００６２】
本明細書に記載されているナットプレートアセンブリは、ナットプレートアセンブリに関連する多くの問題を克服する。一般的に、ナットプレートアセンブリは、限定するものではないが、航空宇宙、産業、及び建築のような様々な適用において、パネルを構造に固定して接続するため、用いられる。上述の適用において、ナットプレートアセンブリの両側への接近が制限される。開示されているナットプレートアセンブリにより、他の特徴と利点の間で、様々な長さを有する固定パネル締結部を用いること、パネル締結部を素早く簡単に取り付ける及び／又は取り外すこと、及び／又は見ないで締結を適用するため、１つの端部が接近することの内、１つ以上が容易になる。この利点と、本明細書に開示されている技術の他の特徴が、図面と共に解釈される好ましい所定の実施形態の後述する記載から、当業者に容易に明らかになる。
【００６３】
図１は、ばね荷重ナットプレートアセンブリ１００の斜視図である。図２は、ナットプレートアセンブリ１００の平面図である。図３は、図２に示す３−３線に沿った、ナットプレートアセンブリ１００の断面図である。代表的な実施形態において、ナットプレートアセンブリ１００は、プレート部材１０２、シェル部材１０４、大まかにナットであるフローティングナット１０６、及びバイアス部材１０８を含む。プレート部材１０２は、壁部１１０と、壁部１１０と一体化して形成されている複数の保持タブ１１２とを含む。壁部１１０は、締結部を受容するため、壁部１１０を貫通するように形成されている開口１１４を含む。保持タブ１１２は、シェル部材１０４をプレート部材１０２に連結するより前に壁部１１０の平面に存在する。別の実施形態において、保持タブ１１２は、壁部１１０と垂直に折られる、又は曲げられ得る。ナットプレートアセンブリ１００を組み立てるとき、保持タブ１１２は、プレート部材１０２にシェル部材１０４を連結することを容易にするように、プレート部材１０２のそれぞれの端部１１６に沿って丸められる、又は曲げられる。それぞれの保持タブ１１２は、それぞれの保持タブ１１２の端部１２０に形成されている半円状の切り欠き１１８を有する。
【００６４】
代表的な実施形態において、シェル部材１０４は、実質的に円筒な壁１２２を含む。この円筒壁１２２は、シェル部材１０４の第１端部１２８に第１開口部１２４を形成し、且つシェル部材１０４の第２端部１３０に第２開口部１２６を形成する。第１開口部１２４と第２開口部１２６は、一般的に、互いに同心である。シェル部材１０４は、第１端部１２８に形成されるフランジ１３２を含む。円筒壁１２２は、シェル部材１０４がプレート部材１０２に連結されているとき、フローティングナット１０６をシェル部材１０４の内側に保持することを容易にするように、第２端部１３０において、例えばスウェージング加工により径方向内側に向けて先細になる。
【００６５】
代表的な実施形態において、フローティングナット１０６は、シェル部材１０４の内側に配置され、円筒壁１２２に対して移動できる。例えば、フローティングナット１０６は、第１位置と第２位置の間において、シェル部材１０４の中心軸に沿って移動できる。第１位置において、フローティングナット１０６は第１端部１２８に接近している。第２位置において、フローティングナット１０６は第２端部１３０に接近している。別の実施形態において、フローティングナット１０６は、ナットプレートアセンブリ１００が上述のように動作できる、いずれかの方法で移動できる。
【００６６】
代表的な実施形態において、シェル部材１０４は、円筒壁１２２を貫通するように形成されている長手方向スロット１３４を含む。長手方向スロット１３４は、シェル部材１０４の中心軸「Ｂ」に沿って実質的に軸方向に所定の長さ１３６まで伸びる。長手方向スロット１３４は、長手方向スロット１３４を通る回転防止ピン１３８を受容するサイズと形状に形成されている。特に、ナットプレートアセンブリ１００を用いるとき、回転防止ピン１３８は、フローティングナット１０６の回転を防ぐ一方、軸方向の動きを可能にすることを容易にするため、フローティングナット１０６に連結されていて、長手方向スロット１３４を通過する。代表的な実施形態において、回転防止ピン１３８はスプリングピンである。代替として、回転防止ピン１３８は、上述のようにフローティングナット１０６を固定する、例えば、限定するものではないが、合わせピン及び／又はねじ締結部を含む、いかなる種類の回転防止機構であってもよい。
【００６７】
代表的な実施形態において、バイアス部材１０８は、シェル部材１０４の内側、且つプレート部材１０２とフローティングナット１０６との間に位置する。したがって、バイアス部材１０８により、プレート部材１０２から第２位置に向けて、フローティングナット１０６を軸方向に付勢することが容易になる。ナットプレートアセンブリ１００を用いるとき、バイアス部材１０８により、（図１〜３に示さない）締結部がフローティングナット１０６に連結されているとき、取り付け構造を共に引き寄せることが容易になる。このバイアス部材１０８は、減衰要素として機能できて、プレロードを締結接合部に与えることを容易にする。代表的な実施形態において、バイアス部材１０８は圧縮ばねである。代替として、バイアス部材１０８は、ナットプレートアセンブリ１００が上述のように機能できる、いかなる種類のバイアス又は力の供給部であってもよい。フローティングナット１０６へのプレロードは、バイアス部材１０８のワイヤ径とばね長さを変えることにより調整され得る。代表的な実施形態において、バイアス部材１０８のワイヤ径とばね長さは、ナットプレートアセンブリ１００の動作に必要なプレロードを与えるように選択される。一方、ナットプレートアセンブリ１００は、軸方向弾性力の範囲においてバイアス部材１０８を保持する。
【００６８】
図４は、（図１に示す）ナットプレートアセンブリ１００に用いるためのフローティングナット１０６の斜視図である。図５は、フローティングナット１０６の別の斜視図である。図６は、図４，５に示す６−６線に沿った、フローティングナット１０６の断面図である。代表的な実施形態において、フローティングナット１０６は、貫通するように穴１４２を形成する、実質的に円筒形の本体１４０を有する。円筒形本体１４０の第１端部１４４において、穴１４２は、円筒形本体１４０と（図４〜６に示さない）締結部を平行に並べることを容易にするように構成されているテーパ部１４６を含む。円筒形本体１４０の第２端部１４８において、穴１４２は座ぐり部１５０を含む。ナットプレートアセンブリ１００を用いるとき、穴１４２は、テーパ部１４６と座ぐり部１５０の間で伸びる、締結部にねじ締めするための雌ねじ部１５２を含む。代表的な実施形態において、座ぐり部１５０は、ねじ径とおよそ同等にねじ締め長さを保つことを容易にするため、雌ねじ部１５２の長さを制御する手段として機能する。一方、この座ぐり部１５０により、締結部は雌ねじ部１５２を通過し得る。また、座ぐり部１５０により、バイアス部材１０８への過度な応力及び／又は損傷を防ぐために十分な長さを有する肩部１５８を備える円筒形本体１４０を加工することが容易になる。一方、上述のように、この座ぐり部１５０により、ねじ締め長さはねじ径とおよそ同等に保たれる。
【００６９】
フローティングナット１０６は、円筒形本体１４０の外表面１５６に形成される孔１５４を含む。特に、孔１５４は、円筒形本体１４０の中心軸「Ｃ」に対して実質的に垂直な方向で外表面１５６に形成される。代表的な実施形態において、孔１５４は、円筒形本体１４０に対して所定の深さまで伸びる一方、穴１４２まで伸びない。別の実施形態において、孔１５４は、円筒形本体１４０に対していかなる深さまで伸びてもよく、例えば、円筒形本体１４０を完全に貫通することも含む。孔１５４は、孔１５４を通る回転防止ピン１３８を受容するようなサイズと形状に形成されている。特に、孔１５４は、回転防止ピン１３８と干渉適合を形成するようなサイズである。上述のように、「干渉適合」という用語は、回転防止ピン１３８と孔１５４との間の締結のきつさの値、すなわち構成要素の間の径方向の隙間の量を意味する。隙間の大きさが負であることは、一般的に、圧入と呼称される。このとき、干渉の大きさが、回転防止ピン１３８と孔１５４の適合が小さな干渉適合であるかどうかを決める。隙間の大きさが小さな正の値であることは、緩いはめ具合又は滑りばめと呼称される。代替として、回転防止ピン１３８は、ナットプレートアセンブリ１００が上述のように機能できる、いずれかの適切な締結技術を用いて、円筒形本体１４０に連結され得る。代表的な実施形態において、ナットプレートアセンブリ１００を用いるとき、回転防止ピン１３８の上部は、フローティングナット１０６の回転を防ぐ一方、軸方向の動きを可能にすることを容易にするため、長手方向スロット１３４を通過する。
【００７０】
代表的な実施形態において、フローティングナット１０６は、円筒形本体１４０に沿って軸方向に第１端部１４４から所定の長さ１６０まで伸びる肩部１５８を含む。この肩部１５８により、バイアス部材１０８が圧縮するとき、バイアス部材１０８への過度な応力及び／又は損傷を防ぐことが容易になる一方、バイアス部材１０８は、伸びるとき、プレート部材１０２から円筒形本体１４０を引き離せる。また、肩部１５８は、円筒形本体１４０の外表面１５６の径よりも小さい径を有する。特に、図３に示すように、肩部１５８は、バイアス部材１０８が肩部１５８においてスライドできるように構成されている径を有する。上述のように、肩部１５８により、バイアス部材１０８は、プレート部材１０２から円筒形本体１４０を引き離すように、円筒形本体１４０に軸力を与えられる。
【００７１】
ナットプレートアセンブリ１００を組み立てるため、フローティングナット１０６はシェル部材１０４内に配置される。フローティングナット１０６の孔１５４は長手方向スロット１３４と平行に並べられる。回転防止ピン１３８は、回転防止ピン１３８の端部が長手方向スロット１３４を通過するように、孔１５４に圧入される。バイアス部材１０８はフローティングナット１０６の肩部１５８周りに配置される。シェル部材１０４の第１開口部１２４はプレート部材１０２の開口１１４と実質的に平行に並べられる。シェル部材１０４は、プレート部材１０２に付勢されることにより、シェル部材１０４内でバイアス部材１０８を圧縮する。保持タブ１１２は、プレート部材１０２に対してシェル部材１０４を軸方向に保持するため、シェル部材１０４のフランジ１３２を覆うように丸められる、又は曲げられる。図１に示すように、半円状の切り欠き１１８は、円筒壁１２２の半径よりも大きい一方、フランジ１３２の半径よりも小さい曲率半径を有する。これにより、シェル部材１０４が壁部１１０に沿って少し移動できることが容易になる。一方、シェル部材１０４は、壁部１１０に向かい合って接し続ける。したがって、（図１に示さない）締結部は、フローティングナット１０６と平行に並べられ得る。このフローティングナット１０６は、小さなずれが締結部とプレート部材１０２の開口１１４にあるとしても、シェル部材１０４に保持される。
【００７２】
代表的な実施形態において、ナットプレートアセンブリ１００は、フローティングナット１０６とバイアス部材１０８の両方をシェル部材１０４内で保持するように構成されている。この構成により、ナットプレートアセンブリ１００は、分離できないアセンブリとして用いられ得る。また、ナットプレートアセンブリ１００は、使用するとき、ナットプレートアセンブリ１００のナット側からの接近を必要としない。これは、ナットプレートアセンブリ１００の両側への接近が制限されるパネルと他の構造と共に用いることに有利である。
【００７３】
図７は、取り付け構造１６２に連結されて、取り付けられたナットプレートアセンブリ１００の断面図である。この取り付け構造１６２は固定締結部１６４を含む。代表的な実施形態において、ナットプレートアセンブリ１００は、限定するものではないが、例えば接着により、取り付け構造１６２に連結されている。取り付け構造１６２は、締結部１６４の少なくとも一部を受容するように、取り付け構造１６２を貫通する形状とサイズに形成される開口１６６を含む。また、締結部１６４は、開口１７０を通って、パネル１６８を通過する。代表的な実施形態において、開口１７０は、開口１６６の径よりも小さな径を有する。これにより、ロック機構１７２を用いて締結部１６４をパネル１６８に保持することが容易になる。特に、締結部１６４はロック機構１７２を含む。代表的な実施形態において、ロック機構１７２はロックリングである。別の実施形態において、ロック機構１７２は、締結部１６４をパネル１６８に保持することが容易になるように構成されている、限定するものではないが、例えば保持リング、Ｅ型クリップ、スプリングプランジャ、及び／又はいずれかの機構を含む。代表的な実施形態において、ロック機構１７２は、締結部１６４の頭部１７６から所定の距離で締結部１６４に形成されている溝１７４に連結されている。例えば、溝１７４は、パネル１６８が頭部１７６とロック機構１７２の間に位置し得る所定の距離で形成され得るため、締結部１６４をパネル１６８に保持することを容易にする。締結部１６４が開口１７０に挿入されるとき、ロック機構１７２は溝１７４に倒れこむ。ロック機構１７２は、開口１７０を通過した後、締結部１６４がパネル１６８から引き戻されることを防ぐため、元の径まで径方向に伸びる。
【００７４】
代表的な実施形態において、締結部１６４は、六角頭１７６を有するパネルのボルトである。代替として、締結部１６４は、限定するものではないが、例えばスプラインヘッド、平頭、ソケット付きヘッド、及びなべ頭を含む、いずれかの形状又は形態をとる頭部１７６を有する、いずれかの種類の締結部である。一部の実施形態において、締結部１６４は、パネル１６８に対する回転に抗して締結部１６４をロックするように構成されている１つ以上の構成要素を含むロック締結部である。
【００７５】
締結部１６４を備えるパネル１６８は、組み立てのため、ナットプレートアセンブリ１００を備える取り付け構造１６２に取り付けられる。締結部１６４はフローティングナット１０６と平行に並べられる。また、パネル１６８は、締結部１６４がフローティングナット１０６の雌ねじ部１５２に接するまで、取り付け構造１６２に対して付勢される。締結部１６４は、フローティングナット１０６にねじ締めされる。フローティングナット１０６は、締結部１６４に引き寄せられ、バイアス部材１０８を圧縮する。上述のように、バイアス部材１０８のばね定数は、ワイヤ径及び／又はバイアス部材１０８の長さを大きく、又は小さくすることにより、調整され得る。また、一部の実施形態において、フローティングナット１０６に対するバイアス部材１０８の力は、締結部１６４に与えられるトルクの大きさを大きく、又は小さくすることにより、調整され得る。例えば、締結部１６４に与えられるトルクが大きくなるとき、フローティングナット１０６が壁部１１０に対して取り付けられるまで、バイアス部材１０８は、圧縮され、フローティングナット１０６に対する力を大きくする。また、締結部１６４に与えられるトルクが小さくなるとき、フローティングナット１０６がシェル部材１０４の第２端部１３０に対して付勢されるまで、バイアス部材１０８は、圧縮が緩められ、フローティングナット１０６に対する力を小さくする。
【００７６】
図８は、取り付け構造１６２に連結されて、取り付けられたナットプレートアセンブリ１００の別の実施形態の断面図である。この取り付け構造１６２は固定締結部１６４を含む。代表的な実施形態において、ナットプレートアセンブリ１００は、締結部１７８により、取り付け構造１６２と機械的に連結されている。代表的な実施形態において、締結部１７８は、限定するものではないが、例えばナットとボルトの組み合わせ、シートメタルの締結部、リベットなどを含む。
【００７７】
図９は、ばね荷重ナットプレートアセンブリ２００の斜視図である。図１０は、図９に示す１０−１０線に沿った、ナットプレートアセンブリ２００の断面図である。代表的な実施形態において、ナットプレートアセンブリ２００は、（図１に示す）ナットプレートアセンブリ１００と同様に、プレート部材２０２、シェル部材２０４、フローティングナット２０６、及びバイアス部材２０８を含む。プレート部材２０２は、壁部２１０と、壁部２１０と一体化して形成されている複数の保持タブ２１２とを含む。壁部２１０は、（図９，１０に示さない）締結部を受容するため、壁部２１０を貫通するように形成されている開口２１４を含む。保持タブ２１２は、シェル部材２０４をプレート部材２０２に連結するより前に壁部２１０の平面に存在する。別の実施形態において、保持タブ２１２は、壁部２１０と垂直に折られる、又は曲げられ得る。ナットプレートアセンブリ２００を組み立てるとき、保持タブ２１２は、プレート部材２０２にシェル部材２０４を連結することを容易にするように、プレート部材２０２のそれぞれの端部２１６に沿って丸められる、又は曲げられる。それぞれの保持タブ２１２は、それぞれの保持タブ２１２の端部２２０に形成されている半円状の切り欠き２１８を有する。
【００７８】
代表的な実施形態において、シェル部材２０４は、実質的に円筒な壁２２２を含む。この円筒壁２２２は、シェル部材２０４の第１端部２２８に第１開口部２２４を形成し、且つシェル部材２０４の第２端部２３０に第２開口部２２６を形成する。第１開口部２２４と第２開口部２２６は、一般的に、互いに同心である。シェル部材２０４は、第１端部２２８に形成されるフランジ２３２を含む。円筒壁２２２は、シェル部材２０４がプレート部材２０２に連結されているとき、フローティングナット２０６をシェル部材２０４の内側に保持することを容易にするように、第２端部２３０において、例えばスウェージング加工により径方向内側に向けて先細になる。
【００７９】
代表的な実施形態において、フローティングナット２０６は、シェル部材２０４の内側に配置され、円筒壁２２２に対して移動できる。例えば、フローティングナット２０６は、第１位置と第２位置の間において、シェル部材２０４の中心軸に沿って移動できる。第１位置において、フローティングナット２０６は第１端部２２８に接近している。第２位置において、フローティングナット２０６は第２端部２３０に接近している。別の実施形態において、フローティングナット２０６は、ナットプレートアセンブリ２００が上述のように動作できる、いずれかの方法で移動できる。
【００８０】
代表的な実施形態において、シェル部材２０４は、円筒壁２２２を貫通するように形成されている長手方向スロット２３４を含む。長手方向スロット２３４は、シェル部材２０４の中心軸「Ｅ」に沿って実質的に軸方向に所定の長さまで伸びる。長手方向スロット２３４は、長手方向スロット２３４を通る回転防止ピン２３８を受容するサイズと形状に形成されている。特に、ナットプレートアセンブリ２００を用いるとき、回転防止ピン２３８は、フローティングナット２０６の回転を防ぐ一方、軸方向の動きを可能にすることを容易にするため、フローティングナット２０６に連結されていて、長手方向スロット２３４を通過する。代表的な実施形態において、回転防止ピン２３８はスプリングピンである。代替として、回転防止ピン２３８は、上述のようにフローティングナット２０６を固定する、例えば、限定するものではないが、合わせピン及び／又はねじ締結部を含む、いかなる種類の回転防止機構であってもよい。
【００８１】
代表的な実施形態において、バイアス部材２０８は、シェル部材２０４の内側、且つフローティングナット２０６とシェル部材２０４の第２端部２３０との間に位置する。したがって、バイアス部材２０８により、プレート部材２０２と第１位置に向けて、フローティングナット２０６を軸方向に付勢することが容易になる。ナットプレートアセンブリ２００を用いるとき、バイアス部材２０８により、（図９，１０に示さない）締結部がフローティングナット２０６に連結されているとき、取り付け構造を別々に付勢することが容易になる。このバイアス部材２０８は減衰要素として機能できる。代表的な実施形態において、バイアス部材２０８は圧縮ばねである。代替として、バイアス部材２０８は、ナットプレートアセンブリ２００が上述のように機能できる、いかなる種類のバイアス又は力の供給部であってもよい。フローティングナット２０６への力は、バイアス部材２０８のワイヤ径とばね長さを変えることにより調整され得る。代表的な実施形態において、バイアス部材２０８のワイヤ径とばね長さは、ナットプレートアセンブリ２００の動作に要求されるバイアスの力を与えるように選択される。一方、ナットプレートアセンブリ２００は、軸方向弾性力の範囲においてバイアス部材２０８を保持する。
【００８２】
図１１は、（図９に示す）ナットプレートアセンブリ２００に用いるためのフローティングナット２０６の斜視図である。図１２は、フローティングナット２０６の別の斜視図である。図１３は、図１１，１２に示す１３−１３線に沿った、フローティングナット２０６の断面図である。代表的な実施形態において、フローティングナット２０６は、貫通するように穴２４２を形成する、実質的に円筒形の本体２４０を有する。円筒形本体２４０の第１端部２４４において、穴２４２は、円筒形本体２４０と（図１１〜１３に示さない）締結部を平行に並べることを容易にするように構成されているテーパ部２４６を含む。円筒形本体２４０の第２端部２４８において、穴２４２は座ぐり部２５０を含む。ナットプレートアセンブリ２００を用いるとき、穴２４２は、テーパ部２４６と座ぐり部２５０の間で伸びる、締結部にねじ締めするための雌ねじ部２５２を含む。代表的な実施形態において、座ぐり部２５０は、ねじ径とおよそ同等にねじ締め長さを保つことを容易にするため、雌ねじ部２５２の長さを制御する手段として機能する。一方、この座ぐり部２５０により、締結部は雌ねじ部２５２を通過し得る。また、座ぐり部２５０により、バイアス部材２０８への過度な応力及び／又は損傷を防ぐために十分な長さを有する肩部２５８を備える円筒形本体２４０を加工することが容易になる。一方、上述のように、この座ぐり部２５０により、ねじ締め長さはねじ径とおよそ同等に保たれる。
【００８３】
フローティングナット２０６は、円筒形本体２４０の外表面２５６に形成される孔２５４を含む。特に、孔２５４は、円筒形本体２４０の中心軸「Ｆ」に対して実質的に垂直な方向で外表面２５６に形成される。代表的な実施形態において、孔２５４は、円筒形本体２４０に対して所定の深さまで伸びる一方、穴２４２まで伸びない。別の実施形態において、孔２５４は、円筒形本体２４０に対していかなる深さまで伸びてもよく、例えば、円筒形本体２４０を完全に貫通することも含む。孔２５４は、孔２５４を通る回転防止ピン２３８を受容するようなサイズと形状に形成されている。特に、孔２５４は、回転防止ピン２３８と干渉適合を形成するようなサイズである。上述のように、「干渉適合」という用語は、回転防止ピン２３８と孔２５４との間の締結のきつさの値、すなわち構成要素の間の径方向の隙間の量を意味する。代替として、回転防止ピン２３８は、ナットプレートアセンブリ２００が上述のように機能できる、いずれかの適切な締結技術を用いて、円筒形本体２４０に連結され得る。代表的な実施形態において、ナットプレートアセンブリ２００を用いるとき、回転防止ピン２３８の上部は、フローティングナット２０６の回転を防ぐ一方、軸方向の動きを可能にすることを容易にするため、長手方向スロット２３４を通過する。
【００８４】
代表的な実施形態において、フローティングナット２０６は、円筒形本体２４０に沿って軸方向に第２端部２４８から所定の長さ２６０まで伸びる肩部２５８を含む。この肩部２５８により、バイアス部材２０８が圧縮するとき、バイアス部材２０８への過度な応力及び／又は損傷を防ぐことが容易になる一方、バイアス部材２０８は、伸びるとき、プレート部材２０２に向けて円筒形本体２４０を付勢できる。また、肩部２５８は、円筒形本体２４０の外表面２５６の径よりも小さい径を有する。特に、図１０に示すように、肩部２５８は、バイアス部材２０８が肩部２５８においてスライドできるように構成されている径を有する。上述のように、肩部２５８により、バイアス部材２０８は、プレート部材２０２に向けて円筒形本体２４０を付勢するように、円筒形本体２４０に軸力を与えられる。
【００８５】
ナットプレートアセンブリ２００は、上記ナットプレートアセンブリ１００と実質的に同様に組み立てられる。例えば、ナットプレートアセンブリ２００を組み立てるため、バイアス部材２０８はシェル部材２０４内に配置される。フローティングナット２０６は、バイアス部材２０８がフローティングナット２０６の肩部２５８周りに取り付けられるように、シェル部材２０４内に配置される。フローティングナット２０６の孔２５４は長手方向スロット２３４と平行に並べられる。回転防止ピン２３８は、回転防止ピン２３８の端部が長手方向スロット２３４を通過するように、孔２５４に圧入される。シェル部材２０４の第１開口部２２４はプレート部材２０２の開口２１４と実質的に平行に並べられる。シェル部材２０４は、プレート部材２０２に付勢されることにより、シェル部材２０４内でバイアス部材２０８を圧縮する。保持タブ２１２は、プレート部材２０２に対してシェル部材２０４を軸方向に保持するため、シェル部材２０４のフランジ２３２を覆うように丸められる、又は曲げられる。
【００８６】
図１４は、取り付け構造２６２に連結されて、取り付けられたナットプレートアセンブリ２００の断面図である。この取り付け構造２６２は固定締結部２６４を含む。代表的な実施形態において、ナットプレートアセンブリ２００は、限定するものではないが、例えば接着により、取り付け構造２６２に連結されている。代替として、ナットプレートアセンブリ２００は、限定するものではないが、例えばナットとボルトの組み合わせ、シートメタルの締結部、リベットなどにより、取り付け構造２６２と機械的に連結されている。代表的な実施形態において、取り付け構造２６２は、締結部２６４の少なくとも一部を受容するように、取り付け構造２６２を貫通する形状とサイズに形成される開口２６６を含む。また、締結部２６４は、開口２７０を通って、パネル２６８を通過する。代表的な実施形態において、開口２７０は、開口２６６の径よりも小さな径を有する。これにより、ロック機構２７２を用いて締結部２６４をパネル２６８に保持することが容易になる。特に、締結部２６４はロック機構２７２を含む。代表的な実施形態において、ロック機構２７２はロックリングである。別の実施形態において、ロック機構２７２は、締結部２６４をパネル２６８に保持することが容易になるように構成されている、限定するものではないが、例えば保持リング、Ｅ型クリップ、スプリングプランジャ、及び／又はいずれかの機構を含む。代表的な実施形態において、ロック機構２７２は、締結部２６４の頭部２７６から所定の距離で締結部２６４に形成されている溝２７４に連結されている。例えば、溝２７４は、パネル２６８が頭部２７６とロック機構２７２の間に位置し得る所定の距離で形成され得るため、締結部２６４をパネル２６８に保持することを容易にする。締結部２６４が開口２７０に挿入されるとき、ロック機構２７２は溝２７４に倒れこむ。ロック機構２７２は、開口２７０を通過した後、締結部２６４がパネル２６８から引き戻されることを防ぐため、元の径まで径方向に伸びる。締結部２６４を備えるパネル２６８は、組み立てのため、ナットプレートアセンブリ２００を備える取り付け構造２６２に取り付けられる。締結部２６４はフローティングナット２０６と平行に並べられる。また、パネル２６８は、締結部２６４がフローティングナット２０６の雌ねじ部２５２に接するまで、取り付け構造２６２に対して付勢される。締結部２６４は、取り付け構造２６２にパネル２６８を固定するように、フローティングナット２０６にねじ締めされる。
【００８７】
図１５は、ばね荷重ナットプレートアセンブリ３００の斜視図である。図１６は、ナットプレートアセンブリ３００の側面図である。図１７は、ナットプレートアセンブリ３００の端面図である。代表的な実施形態において、ナットプレートアセンブリ３００は、（図１に示す）ナットプレートアセンブリ１００と（図１０に示す）ナットプレートアセンブリ２００と同様に、プレート部材３０２、シェル部材３０４、フローティングナット３０６、及び（図２０に示す）バイアス部材３０８を含む。プレート部材３０２は、壁部３１０と、壁部３１０と一体化して形成されている複数の保持タブ３１２とを含む。壁部３１０は、（図１５〜１７に示さない）締結部を受容するため、壁部３１０を貫通するように形成されている開口３１４を含む。保持タブ３１２は、壁部３１０から伸びて、開口部３１６を形成する。別の実施形態において、ナットプレートアセンブリ３００は、ナットプレートアセンブリ３００が上述のように機能できる、いずれかのプレート部材３０２を含む。
【００８８】
代表的な実施形態において、シェル部材３０４は、実質的に円筒な壁３２２を含む。この円筒壁３２２は、シェル部材３０４の第１端部３２８に（図２０に示す）第１開口部３２４を形成し、且つシェル部材３０４の第２端部３３０に第２開口部３２６を形成する。シェル部材３０４は、第１端部３２８に形成されるフランジ３３２を含む。円筒壁３２２は、シェル部材３０４がプレート部材３０２に連結されているとき、フローティングナット３０６をシェル部材３０４の内側に保持することを容易にするように、第２端部３３０において、例えばスウェージング加工により径方向内側に向けて先細になる。
【００８９】
代表的な実施形態において、フローティングナット３０６は、シェル部材３０４の内側に配置され、円筒壁３２２に対して移動できる。例えば、フローティングナット３０６は、第１位置と第２位置の間において、シェル部材３０４の中心軸に沿って移動できる。第１位置において、フローティングナット３０６は第１端部３２８に接近している。第２位置において、フローティングナット３０６は第２端部３３０に接近している。別の実施形態において、フローティングナット３０６は、ナットプレートアセンブリ３００が上述のように動作できる、いずれかの方法で移動できる。
【００９０】
代表的な実施形態において、シェル部材３０４は、円筒壁３２２を貫通するように形成されている長手方向スロット３３４を含む。長手方向スロット３３４は、長手方向スロット３３４を通る回転防止ピン３３８を受容するサイズと形状に形成されている。特に、ナットプレートアセンブリ３００を用いるとき、回転防止ピン３３８は、フローティングナット３０６の回転を防ぐ一方、軸方向の動きを可能にするため、フローティングナット３０６に連結されて、長手方向スロット３３４を通過する。代表的な実施形態において、回転防止ピン３３８はスプリングピンである。代替として、回転防止ピン３３８は、上述のようにフローティングナット３０６を固定する、例えば、限定するものではないが、合わせピン及び／又はねじ締結部を含む、いかなる種類の回転防止機構であってもよい。
【００９１】
代表的な実施形態において、ナットプレートアセンブリ３００は、プレート部材３０２とシェル部材３０４に連結されている保持部材３４０を含む。代表的な実施形態において、保持部材３４０は、シェル部材３０４周りに少なくとも部分的に伸びて、フランジ３３２上に伸びるように構成されているクリップ３４２を含む。このクリップ３４２は、シェル部材３０４の周りに配置されているとき、保持部材３１２に係合するように構成されている。したがって、保持部材３４０と保持タブ３１２は、シェル部材３０４をプレート部材３０２に連結して、プレート部材３０２に対してシェル部材３０４を軸方向に保持する。保持部材３４０がプレート部材３０２とシェル部材３０４に連結されているとき、シェル部材３０４の第１端部３２８はプレート部材３０２に接し、フランジ３３２はクリップ３４２と壁部３１０の間に配置されている。
【００９２】
図１８は、（図１５に示す）ナットプレートアセンブリ３００のプレート部材３０２の斜視図である。図１９は、（図１５に示す）ナットプレートアセンブリ３００の保持部材３４０の平面図である。保持部材３４０のクリップ３４２は、曲線形状を有し、（図１５に示す）シェル部材３０４周りに伸びるように構成されている。特に、クリップ３４２はループを形成する。クリップ３４２の端部３４６は、互いに隣接して、端部３４６同士の間に隙間３４８を形成する。また、クリップ３４２は、プレート部材３０２の反対側において、開口部３１６へと伸びるように構成されている屈曲部３４４を含む。代表的な実施形態において、開口部３１６は、屈曲部３４４を受容するように構成されている細長スロットである。別の実施形態において、保持部材３４０は、（図１５に示す）ナットプレートアセンブリ３００が上述のように動作できる、いずれかの方法で、プレート部材３０２に係合する。一部の実施形態において、例えば、保持タブ３１２は省かれ、保持部材３４０が壁部３１０に係合する。別の実施形態において、保持部材３４０は、保持タブ３１２を受容する開口部３１６を含む。
【００９３】
代表的な実施形態において、クリップ３４２は、第１位置と第２位置の間に位置し得る。第１位置において、屈曲部３４４は、その屈曲部３４４の間で第１距離を空ける。このとき、クリップ３４２は保持タブ３１２と係合するように構成されている。第２位置において、屈曲部３４４は、その屈曲部３４４の間で、第１距離よりも小さい第２距離を空ける。このとき、クリップ３４２は保持タブ３１２と係合しない。したがって、第１位置と第２位置により、保持部材３４０は、プレート部材３０２と（図１５に示す）シェル部材３０４に取り外しできるように連結され得る。また、保持部材３４０により、（図１５に示す）シェル部材３０４と（図１５に示す）フローティングナット３０６のプレート部材３０２からの取り外しができる。例えば、クリップ３４２は、隙間３４８の幅を減少させるように、クリップ３４２の端部３４６を付勢することにより、第１位置と第２位置の間で動く。第２位置において、屈曲部３４４は、保持タブ３１２の開口部３１６を通過しない。また、この屈曲部３４４により、（図１５に示す）ナットプレートアセンブリ３００からの保持部材３４０の取り外しができる。保持部材３４０が取り外された後、（図１５に示す）シェル部材３０４はプレート部材３０２から取り除かれる。別の実施形態において、シェル部材３０４は、（図１５に示す）フローティングナットプレートアセンブリ３００が上述のように動作できる、いずれかの方法で、プレート部材３０２に連結されている。一部の実施形態において、例えば、保持部材３４０は、限定するものではないが、ばね、ヒンジ、締結部、クランプ、及び接着剤を含む。別の実施形態において、保持クリップ３４２は、曲がり易く、第１位置と第２位置の間で動くように構成されている。
【００９４】
図２０は、図１５に示す２０−２０線に沿った、ナットプレートアセンブリ３００の断面図である。代表的な実施形態において、バイアス部材３０８は、シェル部材３０４の内側、且つプレート部材３０２とフローティングナット３０６との間に位置する。したがって、バイアス部材３０８により、プレート部材３０２から第２位置に向けて、フローティングナット３０６を軸方向に付勢することが容易になる。ナットプレートアセンブリ３００を用いるとき、バイアス部材３０８により、（図１５〜２０に示さない）締結部がフローティングナット３０６に連結されているとき、取り付け構造を共に引き寄せることが容易になる。このバイアス部材３０８は、減衰要素として機能できて、プレロードを締結接合部に与えることを容易にする。代表的な実施形態において、バイアス部材３０８は圧縮ばねである。代替として、バイアス部材３０８は、ナットプレートアセンブリ３００が上述のように機能できる、いかなる種類のバイアス又は力の供給部であってもよい。フローティングナット３０６へのプレロードは、バイアス部材３０８のワイヤ径とばね長さを変えることにより調整され得る。代表的な実施形態において、バイアス部材３０８のワイヤ径とばね長さは、ナットプレートアセンブリ３００の動作に必要なプレロードを与えるように選択される。一方、ナットプレートアセンブリ３００は、軸方向弾性力の範囲においてバイアス部材３０８を保持する。別の実施形態において、ナットプレートアセンブリ３００は、ナットプレートアセンブリ３００が上述のように機能できる、いずれかのバイアス部材３０８を含む。一部の実施形態において、例えば、バイアス部材３０８は、シェル部材３０４の内側、且つフローティングナット３０６と第２端部３３０との間に位置する。
【００９５】
図２１は、ばね荷重ナットプレートアセンブリ４００の斜視図である。図２２は、ナットプレートアセンブリ４００の側面図である。図２３は、ナットプレートアセンブリ４００の端面図である。代表的な実施形態において、ナットプレートアセンブリ４００は、（図１５に示す）ナットプレートアセンブリ３００と同様に、プレート部材４０２、シェル部材４０４、フローティングナット４０６、及び（図２６に示す）バイアス部材４０８を含む。プレート部材４０２は、壁部４１０と、壁部４１０と一体化して形成されている複数の保持タブ４１２とを含む。壁部４１０は、（図２１〜２３に示さない）締結部を受容するため、壁部４１０を貫通するように形成されている開口４１４を含む。保持タブ４１２は、壁部４１０から伸びて、溝４１６を形成する。別の実施形態において、ナットプレートアセンブリ４００は、ナットプレートアセンブリ４００が上述のように機能できる、いずれかのプレート部材４０２を含む。
【００９６】
代表的な実施形態において、シェル部材４０４は、実質的に円筒な壁４２２を含む。この円筒壁４２２は、シェル部材４０４の第１端部４２８に（図２６に示す）第１開口部４２４を形成し、且つシェル部材４０４の第２端部４３０に第２開口部４２６を形成する。シェル部材４０４は、第１端部４２８に形成されるフランジ４３２を含む。円筒壁４２２は、シェル部材４０４がプレート部材４０２に連結されているとき、フローティングナット４０６をシェル部材４０４の内側に保持することを容易にするように、第２端部４３０において、例えばスウェージング加工により径方向内側に向けて先細になる。
【００９７】
代表的な実施形態において、フローティングナット４０６は、シェル部材４０４の内側に配置され、円筒壁４２２に対して移動できる。例えば、フローティングナット４０６は、第１位置と第２位置の間において、シェル部材４０４の中心軸に沿って移動できる。第１位置において、フローティングナット４０６は第１端部４２８に接近している。第２位置において、フローティングナット４０６は第２端部４３０に接近している。別の実施形態において、フローティングナット４０６は、ナットプレートアセンブリ４００が上述のように動作できる、いずれかの方法で移動できる。
【００９８】
代表的な実施形態において、シェル部材４０４は、円筒壁４２２を貫通するように形成されている長手方向スロット４３４を含む。長手方向スロット４３４は、長手方向スロット４３４を通る回転防止ピン４３８を受容するサイズと形状に形成されている。特に、ナットプレートアセンブリ４００を用いるとき、回転防止ピン４３８は、フローティングナット４０６の回転を防ぐ一方、軸方向の動きを可能にするため、フローティングナット４０６に連結されて、長手方向スロット４３４を通過する。代表的な実施形態において、回転防止ピン４３８はスプリングピンである。代替として、回転防止ピン４３８は、上述のようにフローティングナット４０６を固定する、例えば、限定するものではないが、合わせピン及び／又はねじ締結部を含む、いかなる種類の回転防止機構であってもよい。
【００９９】
代表的な実施形態において、ナットプレートアセンブリ４００は、プレート部材４０２とシェル部材４０４に連結された保持部材４４０を含む。代表的な実施形態において、保持部材４４０は、シェル部材４０４周りに少なくとも部分的に伸びて、フランジ４３２上に伸びるように構成されているクリップ４４２を含む。クリップ４４２は、シェル部材４０４の周りに配置されているとき、保持部材４１２に係合するように構成されている。したがって、保持部材４４０と保持タブ４１２は、シェル部材４０４をプレート部材４０２に連結して、プレート部材４０２に対してシェル部材４０４を軸方向に保持する。保持部材４４０がプレート部材４０２とシェル部材４０４に連結されているとき、シェル部材４０４の第１端部４２８はプレート部材４０２に接し、フランジ４３２はクリップ４４２と壁部４１０の間に配置されている。
【０１００】
図２４は、（図２１に示す）ナットプレートアセンブリ４００のプレート部材４０２の斜視図である。図２５は、（図２１に示す）ナットプレートアセンブリ４００の保持部材４４０の平面図である。保持部材４４０のクリップ４４２は、曲線形状を有し、（図２１に示す）シェル部材４０４周りに伸びるように構成されている。特に、クリップ４４２は、半円形であり、端部４４６を含む。この端部４４６は、端部４４６同士の間に隙間４４８を形成するように円周方向に距離が開いている。また、クリップ４４２は、保持タブ４１２により形成される溝４１６を通過するサイズと形状に形成されている。代表的な実施形態において、保持タブ４１２は、壁部４１０の端部の少なくとも一部に沿って伸びて、クリップ４４２が溝４１６を通過するとき、クリップ４４２上に伸びるように構成されている。別の実施形態において、保持部材４４０は、（図２１に示す）ナットプレートアセンブリ４００が上述のように動作できる、いずれかの方法で、プレート部材４０２に係合する。一部の実施形態において、例えば、保持部材４４０は、溝４１６を含み、プレート部材４０２を受容する。
【０１０１】
代表的な実施形態において、クリップ４４２は、第１位置と第２位置の間に位置し得る。第１位置において、クリップ４４２は、第１径を有し、保持タブ４１２と係合するように構成されている。第２位置において、クリップ４４２は、第１径よりも小さい第２径を有し、保持タブ４１２と係合しない。したがって、第１位置と第２位置により、保持部材４４０は、プレート部材４０２と（図２１に示す）シェル部材４０４に取り外しできるように連結され得る。また、保持部材４４０により、（図２１に示す）シェル部材４０４と（図２１に示す）フローティングナット４０６のプレート部材４０２からの取り外しができる。例えば、クリップ４４２は、隙間４４８の幅とクリップ４４２の径を減少させるように、クリップ４４２の端部４４６を付勢することにより、第１位置と第２位置の間で動く。第２位置において、クリップ４４２は、保持タブ４１２の溝４１６を通過しない。また、このクリップ４４２により、（図２１に示す）ナットプレートアセンブリ４００からの保持部材４４０の取り外しができる。保持部材４４０が取り外された後、（図２１に示す）シェル部材４０４はプレート部材４０２から取り除かれる。
【０１０２】
図２６は、図２１に示す２６−２６線に沿った、ナットプレートアセンブリ４００の断面図である。代表的な実施形態において、バイアス部材４０８は、シェル部材４０４の内側、且つフローティングナット４０６とシェル部材４０４の第２端部４３０との間に位置する。したがって、バイアス部材４０８により、プレート部材４０２と第１位置に向けて、フローティングナット４０６を軸方向に付勢することが容易になる。ナットプレートアセンブリ４００を用いるとき、バイアス部材４０８により、（図２１〜２６に示さない）締結部がフローティングナット４０６に連結されているとき、取り付け構造を別々に付勢することが容易になる。このバイアス部材４０８は減衰要素として機能し得る。代表的な実施形態において、バイアス部材４０８は圧縮ばねである。代替として、バイアス部材４０８は、ナットプレートアセンブリ４００が上述のように機能できる、いかなる種類のバイアス又は力の供給部であってもよい。フローティングナット４０６への力は、バイアス部材４０８のワイヤ径とばね長さを変えることにより調整され得る。代表的な実施形態において、バイアス部材４０８のワイヤ径とばね長さは、ナットプレートアセンブリ４００の動作に要求されるバイアスの力を与えるように選択される。一方、ナットプレートアセンブリ４００は、軸方向弾性力の範囲においてバイアス部材４０８を保持する。別の実施形態において、ナットプレートアセンブリ４００は、ナットプレートアセンブリ４００が上述のように機能できる、いずれかのバイアス部材４０８を含む。一部の実施形態において、例えば、バイアス部材４０８は、シェル部材４０４の内側、且つプレート部材４０２とフローティングナット４０６との間に位置する。
【０１０３】
図２７は、ばね荷重ナットプレートアセンブリ５００の斜視図である。図２８は、ナットプレートアセンブリ５００の正面端面図である。図２９は、ナットプレートアセンブリ５００の第２端面図である。図３０は、ナットプレートアセンブリ５００の端面図である。図３１は、図２８に示す３１−３１線に沿った、ナットプレートアセンブリ５００の断面図である。代表的な実施形態において、ナットプレートアセンブリ５００は、（図１に示す）ナットプレートアセンブリ１００と同様に、プレート部材５０２、シェル部材５０４、フローティングナット５０６、及び（図３１に示す）バイアス部材５０８を含む。代表的な実施形態において、プレート部材５０２とシェル部材５０４は単一の部品として一体化して形成されている。プレート部材５０２は壁部５１０を含む。壁部５１０は、（図２７〜３１に示さない）締結部を受容するため、壁部５１０を貫通するように形成されている開口５１４を含む。また、開口５１４は、フローティングナット５０６が開口５１４を通過して位置し得るサイズと形状に形成されている。代表的な実施形態において、開口５１４は六角形である。別の実施形態において、ナットプレートアセンブリ５００は、ナットプレートアセンブリ５００が上述のように動作できる、いずれかのプレート部材５０２を含む。
【０１０４】
代表的な実施形態において、シェル部材５０４は、ナットプレートアセンブリ５００の中心軸５２３周りに沿って伸びる壁部５２２を含む。この壁部５２２は、シェル部材５０４の第１端部５２８に第１開口部５２４を形成し、且つシェル部材５０４の第２端部５３０に第２開口部５２６を形成する。第１開口部５２４と第２開口部５２６は、一般的に、互いに同心である。シェル部材５０４は、第１端部５２８において、プレート部材５０２の壁部５１０に連結されている。曲線端部又は角端部５２５は、クリップ５６６が開口５１４を通過して位置することを容易にするように、開口５１４と第１開口部５２４の間に拡がる。壁部５２２は、フローティングナット５０６をシェル部材５０４の内側に保持することを容易にするように、第２端部５３０において、径方向内側に向けて先細になる。壁部５２２は、第１端部５２８から第２端部５３０に向けて連続的に拡がり、第１開口部５２４と第２開口部５２６以外の開口部を有していない。したがって、シェル部材５０４とプレート部材５０２は、ナットプレートアセンブリ５００を用いるとき、破片の取り込みと封じ込めを防止する。別の実施形態において、ナットプレートアセンブリ５００は、ナットプレートアセンブリ５００が上述のように動作できる、いずれかのシェル部材５０４を含む。
【０１０５】
代表的な実施形態において、フローティングナット５０６は、シェル部材５０４の内側に配置され、中心軸５２３に沿って移動できる。例えば、フローティングナット５０６は、第１位置と第２位置の間において、シェル部材５０４の中心軸５２３に沿って移動できる。第１位置において、フローティングナット５０６は第１端部５２８に接近している。第２位置において、フローティングナット５０６は第２端部５３０に接近している。一部の実施形態において、フローティングナット５０６は、壁部５２２の内側において、中心軸５２３周りの径方向の浮動を有する。別の実施形態において、フローティングナット５０６は、ナットプレートアセンブリ５００が上述のように動作できる、いずれかの方法で移動できる。
【０１０６】
代表的な実施形態において、シェル部材５０４の断面形状は壁部５２２により形成される。シェル部材５０４の断面形状は、中心軸５２３に対して垂直な平面に沿って、フローティングナット５０６の断面形状に対応するように構成されている。代表的な実施形態において、シェル部材５０４とフローティングナット５０６は同じ断面形状を有する。また、シェル部材５０４とフローティングナット５０６は、フローティングナット５０６の軸方向の動きを可能にするサイズに形成されている隙間をシェル部材５０４とフローティングナット５０６の間に形成し、フローティングナット５０６の回転を防ぐ。例えば、フローティングナット５０６とシェル部材５０４の間の隙間はフローティングナット５０６の平面の幅よりも小さい。したがって、シェル部材５０４の壁部５２２は、フローティングナット５０６がシェル部材５０４の内側に位置するとき、フローティングナット５０６の回転を防止するため、フローティングナット５０６に係合する。代表的な実施形態において、シェル部材５０４とフローティングナット５０６は六角形である。別の実施形態において、シェル部材５０４とフローティングナット５０６は、ナットプレートアセンブリ５００が上述のように動作できる、いずれかの形状である。一部の実施形態において、シェル部材５０４及び／又はフローティングナット５０６は、限定するものではないが、三角形、長方形、台形、五角形、六角形、七角形、八角形、九角形、十角形、十二角形、及び星形である。別の実施形態において、シェル部材５０４及び／又はフローティングナット５０６の少なくとも１つの側面は曲線状である。
【０１０７】
代表的な実施形態において、バイアス部材５０８は、シェル部材５０４の内側における、フローティングナット５０６とシェル部材５０４の第２端部５３０との間に位置する。したがって、バイアス部材５０８により、プレート部材５０２と第１位置に向けて、フローティングナット５０６を軸方向に付勢することが容易になる。ナットプレートアセンブリ５００を用いるとき、バイアス部材５０８により、（図２７，２８に示さない）締結部がフローティングナット５０６に連結されているとき、取り付け構造を別々に付勢することが容易になる。このバイアス部材５０８は減衰要素として機能できる。代表的な実施形態において、バイアス部材５０８は圧縮ばねである。代替として、バイアス部材５０８は、ナットプレートアセンブリ５００が上述のように機能できる、いかなる種類のバイアス又は力の供給部であってもよい。
【０１０８】
図３２は、（図２７に示す）ナットプレートアセンブリ５００に用いるためのフローティングナット５０６の斜視図である。図３３は、フローティングナット５０６の端面図である。図３４は、フローティングナット５０６の側面図である。代表的な実施形態において、フローティングナット５０６は、貫通するように穴５４２を形成する本体５４０を有する。本体５４０の第１端部５４４において、穴５４２は、本体５４０と（図３２，３３に示さない）締結部を平行に並べることを容易にするように構成されているテーパ部５４６を含む。本体５４０の第２端部５４８において、穴５４２は座ぐり部５５０を含む。ナットプレートアセンブリ５００を用いるとき、穴５４２は、テーパ部５４６と座ぐり部５５０の間で伸びる、締結部にねじ締めするための雌ねじ部５５２を含む。
【０１０９】
代表的な実施形態において、フローティングナット５０６は、本体５４０に沿って軸方向に、フランジ５６２に向けて第２端部５４８から伸びる肩部５５８を含む。この肩部５５８は所定の距離５６０伸びる。肩部５５８により、バイアス部材５０８が圧縮するとき、バイアス部材５０８への過度な応力及び／又は損傷を防ぐことが容易になる一方、バイアス部材５０８は、伸びるとき、プレート部材５０２に向けて本体５４０を付勢できる。肩部５５８は、バイアス部材５０８が肩部５５８においてスライドできるように構成されている径を有する。肩部５５８により、バイアス部材５０８は、プレート部材５０２に向けて本体５４０を付勢するように、本体５４０に軸力を与えられる。
【０１１０】
代表的な実施形態において、フローティングナット５０６は、第１端部５４４近くにおいて、本体５４０周りに伸びるフランジ５６２を含む。このフランジ５６２は、フローティングナット５０６がシェル部材５０４の内側に位置するとき、フローティングナット５０６の中心軸５２３周りの回転を防止するため、シェル部材５０４に係合する。特に、フランジ５６２の外表面５６４はシェル部材５０４の内表面に接する。外表面５６４は、フランジ５６２の断面形状を形成する複数の側面５６３により形成されている。特に、側面５６３は、平面であり、フランジ５６２の周りで伸びて、壁部５２２に係合するように構成されている。上述のように、フローティングユニット５０６の断面形状は、（図２７〜３０に示す）シェル部材５０４の断面形状に対応する。代表的な実施形態において、フランジ５６２の外表面５６４は、六角形の断面形状を形成する６つの平坦な側面５６３により形成されている。別の実施形態において、フローティングナット５０６は、フローティングナット５０６が上述のように動作できる、いずれかのフランジ５６２を含む。
【０１１１】
図３５はクリップ５６６の端面図である。図３６は、プレート部材５０２とシェル部材５０４の斜視図である。代表的な実施形態において、ナットプレートアセンブリ５００は、広く見れば保持部材であるクリップ５６６を含む。クリップ５６６は、フローティングナット５０６をシェル部材５０４の内側に保持するため、シェル部材５０４と（図３２〜３４に示す）フローティングナット５０６を係合するように構成されている。代表的な実施形態において、クリップ５６６は、円形であり、クリップ５６６がシェル部材５０４に配置されているとき、中心軸５２３と本体５４０周りに伸びるように配置されている。また、クリップ５６６は隙間５６８を形成する。別の実施形態において、ナットプレートアセンブリ５００は、ナットプレートアセンブリ５００が上述のように動作できる、いずれかの保持部材を含む。一部の実施形態において、クリップ５６６は、シェル部材５０４、プレート部材５０２、及び／又はフローティングナット５０６に取り付けられている。
【０１１２】
代表的な実施形態において、クリップ５６６は、シェル部材５０４の第１端部５２８近くにおける、シェル部材５０４の内側に位置する。したがって、フローティングナット５０６はシェル部材５０４の第２端部５３０とクリップ５６６の間に閉じ込められている。クリップ５６６は、クリップ５６６が開口５１４を通して取り付けられるときの第１位置と、クリップ５６６がシェル部材５０４の内側に保持されているときの第２位置との間に位置し得る。隙間５６８により、クリップ５６６が第１位置と第２位置の間で動くことが容易になる。第１位置において、このクリップ５６６は、開口５１４を通過して、シェル部材５０４の内側の空洞に位置し得る。例えば、第１位置において、クリップ５６６は、クリップ５６６の幅が開口５１４の幅よりも小さくなるように変形する。第２位置において、クリップ５６６は、開口５１４の幅よりも大きい径を有する。このクリップ５６６は、径方向内側の力でクリップ５６６を付勢することにより、第２位置から第１位置に向けて動く。クリップ５６６は、弾性があり、径方向内側の力が取り除かれたとき、第２位置に戻る。クリップ５６６は、クリップ５６６がシェル部材５０４の内側に位置するとき、第２位置から第１位置の間でクリップ５６６を動かすことを容易にするように構成されているノッチ５６９を含む。
【０１１３】
代表的な実施形態において、シェル部材５０４は、中心軸５２３周りに間隔を空ける複数の溝５７０を有する。それぞれの溝５７０は、クリップ５６６がシェル部材５０４の内側における第１位置にあるとき、クリップ５６６の一部を受容する。溝５７０は、クリップ５６６がシェル部材５０４の内側における第１位置にあるとき、クリップ５６６に係合し、クリップ５６６の軸方向の動きに対抗する係合機構として働く。結果として、フローティングナット５０６とクリップ５６６がシェル部材５０４の内側に位置するとき、クリップ５６６とシェル部材５０４は、フローティングナット５０６の取り外しに対抗する。このシェル部材５０４は溝５７０にクリップ５６６を保持する。クリップ５６６は、フローティングナット５０６の開口５１４を通る取り外しを防止するため、フローティングナット５０６のフランジ５６２に接する。別の実施形態において、クリップ５６６は、ナットプレートアセンブリ５００が上述のように動作できる、いずれかの方法で、プレート部材５０２、シェル部材５０４、及び／又はフローティングナット５０６に係合する。一部の実施形態において、プレート部材５０２は、クリップ５６６に係合する少なくとも１つの係合機構を含む。
【０１１４】
ナットプレートアセンブリ５００は、上記ナットプレートアセンブリ１００と実質的に同様に組み立てられる。例えば、ナットプレートアセンブリ５００を組み立てるため、バイアス部材５０８はシェル部材５０４内に配置される。フローティングナット５０６は、バイアス部材５０８がフローティングナット５０６の肩部５５８周りに取り付けられるように、シェル部材５０４内に配置される。クリップ５６６は、開口５１４を通過して、シェル部材５０４の内側に位置する。クリップ５６６は、フローティングナット５０６をシェル部材５０４の内側に保持するため、プレート部材５０２とシェル部材５０４の少なくとも１つに係合する。
【０１１５】
図３７は、ばね荷重ナットプレートアセンブリ６００の斜視図である。図３８は、ナットプレートアセンブリ６００の端面図である。図３９は、ナットプレートアセンブリ６００に用いるためのクリップ６６６の斜視図である。代表的な実施形態において、ナットプレートアセンブリ６００は、（図１に示す）ナットプレートアセンブリ１００と同様に、プレート部材６０２、シェル部材６０４、フローティングナット６０６、及び（図３７〜３９に示さない）バイアス部材を含む。プレート部材６０２は、シェル部材６０４と一体化して形成されている壁部６１０を含む。壁部６１０は、（図２７〜３１に示さない）締結部を受容するため、壁部６１０を貫通するように形成されている開口６１４を含む。また、開口６１４は、フローティングナット６０６が開口６１４を通過して位置し得るサイズと形状に形成されている。別の実施形態において、ナットプレートアセンブリ６００は、ナットプレートアセンブリ６００が上述のように動作できる、いずれかのプレート部材６０２を含む。
【０１１６】
代表的な実施形態において、シェル部材６０４は、ナットプレートアセンブリ６００の中心軸６２３周りに沿って伸びる壁部６２２を含む。この壁部６２２は、シェル部材６０４の第１端部６２８に第１開口部６２４を形成し、且つシェル部材６０４の第２端部６３０に第２開口部６２６を形成する。第１開口部６２４と第２開口部６２６は、一般的に、互いに同心である。シェル部材６０４は、第１端部６２８において、プレート部材６０２の壁部６１０に連結されている。壁部６２２は、フローティングナット６０６をシェル部材６０４の内側に保持することを容易にするように、第２端部６３０において、径方向内側に向けて先細になる。壁部６２２は、第１端部６２８から第２端部６３０に向けて連続的に拡がり、第１開口部６２４と第２開口部６２６以外の開口部を有していない。したがって、シェル部材６０４とプレート部材６０２は、ナットプレートアセンブリ６００を用いるとき、破片の取り込みと封じ込めを防止する。別の実施形態において、ナットプレートアセンブリ６００は、ナットプレートアセンブリ６００が上述のように動作できる、いずれかのシェル部材６０４を含む。
【０１１７】
代表的な実施形態において、フローティングナット６０６は、シェル部材６０４の内側に配置され、中心軸に沿って移動できる。例えば、フローティングナット６０６は、第１位置と第２位置の間において、シェル部材６０４の中心軸に沿って移動できる。第１位置において、フローティングナット６０６は第１端部６２８に接近している。第２位置において、フローティングナット６０６は第２端部６３０に接近している。別の実施形態において、フローティングナット６０６は、ナットプレートアセンブリ６００が上述のように動作できる、いずれかの方法で移動できる。
【０１１８】
代表的な実施形態において、シェル部材６０４の断面形状は壁部６２２により形成される。シェル部材６０４の断面形状は、中心軸６２３に対して垂直な平面に沿って、フローティングナット６０６の断面形状に対応するように構成されている。代表的な実施形態において、シェル部材６０４とフローティングナット６０６は同じ断面形状を有する。また、シェル部材６０４とフローティングナット６０６は、フローティングナット６０６の軸方向の動きを可能にするサイズに形成されている隙間をシェル部材６０４とフローティングナット６０６の間に形成し、フローティングナット６０６の回転を防ぐ。例えば、フローティングナット６０６とシェル部材６０４の間の隙間はフローティングナット６０６の平面の幅よりも小さい。したがって、シェル部材６０４の壁部６２２は、フローティングナット６０６がシェル部材６０４の内側に位置するとき、フローティングナット６０６の回転を防止するため、フローティングナット６０６に係合する。代表的な実施形態において、シェル部材６０４とフローティングナット６０６は六角形である。別の実施形態において、シェル部材６０４とフローティングナット６０６は、ナットプレートアセンブリ６００が上述のように動作できる、いずれかの形状である。一部の実施形態において、シェル部材６０４及び／又はフローティングナット６０６は、限定するものではないが、三角形、長方形、台形、五角形、六角形、七角形、八角形、九角形、十角形、十二角形、及び星形を含む。別の実施形態において、シェル部材６０４及び／又はフローティングナット６０６の少なくとも１つの側面は曲線状である。
【０１１９】
代表的な実施形態において、ナットプレートアセンブリ６００は、広く見れば保持部材であるクリップ６６６を含む。クリップ６６６は、フローティングナット６０６をシェル部材６０４の内側に保持するため、シェル部材６０４と（図３２〜３４に示す）フローティングナット６０６を係合するように構成されている。代表的な実施形態において、クリップ６６６は、円形であり、クリップ６６６がシェル部材６０４に配置されているとき、中心軸６２３周りに伸びるように配置されている。別の実施形態において、ナットプレートアセンブリ６００は、ナットプレートアセンブリ６００が上述のように動作できる、いずれかのクリップ６６６を含む。
【０１２０】
代表的な実施形態において、クリップ６６６は、シェル部材６０４の第１端部６２８近くにおける、シェル部材６０４の内側に位置する。したがって、フローティングナット６０６はシェル部材６０４の第２端部６３０とクリップ６６６の間に閉じ込められている。クリップ６６６は、シェル部材６０４の内側に干渉適合を有する。したがって、シェル部材６０４とクリップ６６６は、クリップ６６６がシェル部材６０４の内側にあるとき、クリップ６６６の軸方向の動きに対抗する。結果として、フローティングナット６０６とクリップ６６６がシェル部材６０４の内側に位置するとき、クリップ６６６とシェル部材６０４は、フローティングナット６０６の取り外しに対抗する。別の実施形態において、クリップ６６６は、ナットプレートアセンブリ６００が上述のように動作できる、いずれかの方法で、プレート部材６０２及び／又はシェル部材６０４に係合する。
【０１２１】
ナットプレートアセンブリ６００は、上記ナットプレートアセンブリ１００と実質的に同様に組み立てられる。例えば、ナットプレートアセンブリ６００を組み立てるため、バイアス部材はシェル部材６０４内に配置される。フローティングナット６０６は、バイアス部材がフローティングナット６０６の肩部周りに取り付けられるように、シェル部材６０４内に配置される。クリップ６６６は、シェル部材６０４の内側に位置して、フローティングナット６０６をシェル部材６０４の内側に保持するため、プレート部材６０２とシェル部材６０４の少なくとも１つに係合する。
【０１２２】
図４０は、ばね荷重ナットプレートアセンブリ７００の斜視図である。図４１は、ナットプレートアセンブリ７００の端面図である。代表的な実施形態において、ナットプレートアセンブリ７００は、（図１に示す）ナットプレートアセンブリ１００と同様に、プレート部材７０２、シェル部材７０４、フローティングナット７０６、及び（図３７〜３９に示さない）バイアス部材を含む。プレート部材７０２は、シェル部材７０４と一体化して形成されている壁部７１０を含む。壁部７１０は、（図２７〜３１に示さない）締結部を受容するため、壁部７１０を貫通するように形成されている開口７１４を含む。また、開口７１４は、フローティングナット７０６が開口７１４を通過して位置し得るサイズと形状に形成されている。別の実施形態において、ナットプレートアセンブリ７００は、ナットプレートアセンブリ７００が上述のように動作できる、いずれかのプレート部材７０２を含む。
【０１２３】
代表的な実施形態において、シェル部材７０４は、ナットプレートアセンブリ７００の中心軸７２３周りに沿って伸びる壁部７２２を含む。この壁部７２２は、シェル部材７０４の第１端部７２８に第１開口部７２４を形成し、且つシェル部材７０４の第２端部７３０に第２開口部７２６を形成する。第１開口部７２４と第２開口部７２６は、一般的に、互いに同心である。シェル部材７０４は、第１端部７２８において、プレート部材７０２の壁部７１０に連結されている。壁部７２２は、フローティングナット７０６をシェル部材７０４の内側に保持することを容易にするように、第２端部７３０において、径方向内側に向けて先細になる。壁部７２２は、第１端部７２８から第２端部７３０に向けて連続的に拡がり、第１開口部７２４と第２開口部７２６以外の開口部を有していない。したがって、シェル部材７０４とプレート部材７０２は、ナットプレートアセンブリ７００を用いるとき、破片の取り込みと封じ込めを防止する。別の実施形態において、ナットプレートアセンブリ７００は、ナットプレートアセンブリ７００が上述のように動作できる、いずれかのシェル部材７０４を含む。
【０１２４】
代表的な実施形態において、フローティングナット７０６は、シェル部材７０４の内側に配置され、中心軸に沿って移動できる。例えば、フローティングナット７０６は、第１位置と第２位置の間において、シェル部材７０４の中心軸に沿って移動できる。第１位置において、フローティングナット７０６は第１端部７２８に接近している。第２位置において、フローティングナット７０６は第２端部７３０に接近している。別の実施形態において、フローティングナット７０６は、ナットプレートアセンブリ７００が上述のように動作できる、いずれかの方法で移動できる。
【０１２５】
代表的な実施形態において、シェル部材７０４の断面形状は壁部７２２により形成される。シェル部材７０４の断面形状は、中心軸７２３に対して垂直な平面に沿って、フローティングナット７０６の断面形状に対応するように構成されている。フローティングナット７０６は、シェル部材７０４の空洞７２７に受容される複数の突起７２５を含む。したがって、シェル部材７０４の壁部７２２は、フローティングナット７０６がシェル部材７０４の内側に位置するとき、フローティングナット７０６の回転を防止するため、フローティングナット７０６に係合する。別の実施形態において、シェル部材７０４とフローティングナット７０６は、ナットプレートアセンブリ７００が上述のように動作できる、いずれかの形状である。一部の実施形態において、シェル部材７０４及び／又はフローティングナット７０６は、限定するものではないが、三角形、長方形、台形、五角形、六角形、七角形、八角形、九角形、十角形、十二角形、及び星形を含む。別の実施形態において、シェル部材７０４及び／又はフローティングナット７０６の少なくとも１つの側面は曲線状である。
【０１２６】
代表的な実施形態において、ナットプレートアセンブリ７００は、広く見れば保持部材であるクリップ７６６を含む。クリップ７６６は、フローティングナット７０６をシェル部材７０４の内側に保持するため、シェル部材７０４とフローティングナット７０６を係合するように構成されている。別の実施形態において、ナットプレートアセンブリ７００は、ナットプレートアセンブリ７００が上述のように動作できる、いずれかのクリップ７６６を含む。
【０１２７】
代表的な実施形態において、クリップ７６６は、シェル部材７０４の第１端部７２８近くにおける、シェル部材７０４の内側に位置する。したがって、フローティングナット７０６はシェル部材７０４の第２端部７３０とクリップ７６６の間に閉じ込められている。したがって、シェル部材７０４とクリップ７６６は、クリップ７６６がシェル部材７０４の内側における第２位置にあるとき、クリップ７６６の軸方向の動きに対抗する。結果として、フローティングナット７０６とクリップ７６６がシェル部材７０４の内側に位置するとき、クリップ７６６とシェル部材７０４は、フローティングナット７０６の取り外しに対抗する。別の実施形態において、クリップ７６６は、ナットプレートアセンブリ７００が上述のように動作できる、いずれかの方法で、プレート部材７０２及び／又はシェル部材７０４に係合する。
【０１２８】
図４２は、ナットプレートアセンブリ７００に用いるためのフローティングナット７０６の斜視図である。図４３は、フローティングナット７０６の正面図である。代表的な実施形態において、フローティングナット７０６は、貫通するように穴７４２を形成する本体７４０を有する。穴７４２は、フローティングナット７０６の第１端部７４６からフローティングナット７０６の第２端部７４８に向けて伸びる。フローティングナット７０６は肩部７５８とフランジ７６２を含む。この肩部７５８は、本体７４０に沿って軸方向に、フランジ７６２に向けて第２端部７４８から伸びる。肩部７５８により、（図３７〜３９に示さない）バイアス部材は、プレート部材７０２に向けて本体７４０を付勢するように、本体７４０に軸力を与えられる。フランジ７６２は、フローティングナット７０６の第１端部７４６近くにおいて、本体７４０周りに伸びる。このフランジ７６２は、フローティングナット７０６がシェル部材７０４の内側に位置するとき、フローティングナット７０６の中心軸７２３周りの回転を防止するため、シェル部材７０４に係合する。特に、フランジ７６２の外表面７６４はシェル部材７０４の内表面に接する。外表面７６４は、フランジ７６２とフローティングナット７０６の断面形状を形成する複数の側面を含む。上述のように、フローティングユニット７０６の断面形状は、（図２７〜３０に示す）シェル部材７０４の断面形状に対応する。代表的な実施形態において、フランジ７６２の外表面７６４は、星形の断面形状を形成する６つの突起７２５により形成されている。結果として、フランジ７６２の形状は、（図３３に示す）フランジ５６２のような他のフランジと比べて、トルクに対して増加した抵抗をフローティングナット７０６に与える。別の実施形態において、フローティングナット７０６は、フローティングナット７０６が上述のように動作できる、いずれかのフランジ７６２を含む。
【０１２９】
ナットプレートアセンブリ７００は、上記ナットプレートアセンブリ１００と実質的に同様に組み立てられる。例えば、ナットプレートアセンブリ７００を組み立てるため、バイアス部材はシェル部材７０４内に配置される。フローティングナット７０６は、バイアス部材がフローティングナット７０６の肩部７５８周りに取り付けられるように、シェル部材７０４内に配置される。クリップ７６６は、シェル部材７０４の内側に位置して、フローティングナット７０６をシェル部材７０４の内側に保持するため、プレート部材７０２とシェル部材７０４の少なくとも１つに係合する。
【０１３０】
本明細書に記載されている構成要素は、ばね荷重ナットプレートアセンブリを提供する。例えば、実施形態に記載されているように、ナットプレートアセンブリのフローティングナットはバイアス部材により付勢される。この構成により、固定パネルねじを用いることができる。これにより、基礎構造に対するパネルの組み立てと分解が容易になる。また、ばね荷重ナットプレートアセンブリにより、固定パネル締結部の長さを変えることが容易になる。バイアス部材は、パネル構造の組み立て又は分解のとき、構造構成要素を共に引き寄せること、又は構造構成要素を別々に付勢することのいずれかを容易にする。また、バイアス部材により、締結部の取り付けのとき、フローティングナットの内ねじに対する損傷を防ぐことが容易になる。
【０１３１】
ばね荷重ナットプレートアセンブリの代表的な実施形態が上述されている。システムと方法は上述の特定の実施形態に限定されない。一方、システムの構成要素、及び／又は方法の工程は、上述の他の構成要素及び／又は工程から独立して利用され得る。また、上述の構成要素及び／又は工程は、他のシステム、方法、及び／又は装置との組み合わせにおいて形成される、又は用いられることができて、上述のシステムだけを実行することに限定されない。
【０１３２】
本発明の様々な実施形態の特定の特徴は、一部の図面に示されて、他の図面には示されていない。一方、これは、ただ便宜上のためである。本発明の原理に従って、図面のいずれかの特徴は、いずれかの他の図面の特徴と組み合わせて、参照される、及び／又は主張される。
【０１３３】
本明細書の記述は、最良の形態を含む実施形態を開示するため、及びいずれかの当業者が実施形態を実行できるようにするため、実施例を用いる。この当業者による実施形態の実行は、いずれかの装置又はシステムを形成して用いることと、いずれかの援用される方法を実行することを含む。本発明の特許性のある範囲は、請求項により定められていて、当業者が思い浮かぶ他の例を含み得る。そのような他の例は、請求項の文言と異ならない構造要素を有するとき、又は請求項の文言と僅かに異なる同等の構造要素を含むとき、請求項の範囲内であるように意図されている。
【図１】
2020509312.tif 000003
【図２】
2020509312.tif 000004
【図３】
2020509312.tif 000005
【図４】
2020509312.tif 000006
【図５】
2020509312.tif 000007
【図６】
2020509312.tif 000008
【図７】
2020509312.tif 000009
【図８】
2020509312.tif 000010
【図９】
2020509312.tif 000011
【図１０】
2020509312.tif 000012
【図１１】
2020509312.tif 000013
【図１２】
2020509312.tif 000014
【図１３】
2020509312.tif 000015
【図１４】
2020509312.tif 000016
【図１５】
2020509312.tif 000017
【図１６】
2020509312.tif 000018
【図１７】
2020509312.tif 000019
【図１８】
2020509312.tif 000020
【図１９】
2020509312.tif 000021
【図２０】
2020509312.tif 000022
【図２１】
2020509312.tif 000023
【図２２】
2020509312.tif 000024
【図２３】
2020509312.tif 000025
【図２４】
2020509312.tif 000026
【図２５】
2020509312.tif 000027
【図２６】
2020509312.tif 000028
【図２７】
2020509312.tif 000029
【図２８】
2020509312.tif 000030
【図２９】
2020509312.tif 000031
【図３０】
2020509312.tif 000032
【図３１】
2020509312.tif 000033
【図３２】
2020509312.tif 000034
【図３３】
2020509312.tif 000035
【図３４】
2020509312.tif 000036
【図３５】
2020509312.tif 000037
【図３６】
2020509312.tif 000038
【図３７】
2020509312.tif 000039
【図３８】
2020509312.tif 000040
【図３９】
2020509312.tif 000041
【図４０】
2020509312.tif 000042
【図４１】
2020509312.tif 000043
【図４２】
2020509312.tif 000044
【図４３】
2020509312.tif 000045
【国際調査報告】
2020509312.tif 000046